(57)【要約】  本願は、エアインタフェースリソース割り当て方法およびネットワークデバイスに関する。上記方法は、エアインタフェースリソースを非レイテンシセンシティブサービスに割り当てる段階と、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りする段階と、を備え、レイテンシセンシティブサービスは、非レイテンシセンシティブサービスよりも、エアインタフェースリソースの取得に関し高い優先度を有する、エアインタフェースリソース割り当て方法である。本願の実施形態によると、エアインタフェースリソースの無駄が回避され、リソースの利用率が向上される。
2019522408.tif 000002
【特許請求の範囲】
【請求項１】
エアインタフェースリソースを非レイテンシセンシティブサービスに割り当てる段階と、
現在の送信時間間隔ＴＴＩ内のすべての周波数帯域のサブキャリア上のエアインタフェースリソースをレイテンシセンシティブサービスに割り当て、および、前記レイテンシセンシティブサービスのために、前記非レイテンシセンシティブサービスに既に割り当てられている前記エアインタフェースリソースを先取りする段階と、を備え、
前記レイテンシセンシティブサービスは、前記非レイテンシセンシティブサービスよりも、前記エアインタフェースリソースの取得に関し高い優先度を有する、エアインタフェースリソース割り当て方法。
【請求項２】
前記レイテンシセンシティブサービスのために、前記非レイテンシセンシティブサービスに既に割り当てられている前記エアインタフェースリソースを前記先取りする段階は、具体的に、
前記レイテンシセンシティブサービスのために、時間領域において、前記非レイテンシセンシティブサービスに既に割り当てられている前記エアインタフェースリソースを先取りする段階である、請求項１に記載の方法。
【請求項３】
前記レイテンシセンシティブサービスのために、時間領域において、前記非レイテンシセンシティブサービスに既に割り当てられている前記エアインタフェースリソースを前記先取りする段階は、具体的に、
前記レイテンシセンシティブサービスのために、前記ＴＴＩ全体内の一部の周波数帯域の複数のサブキャリア上の、前記非レイテンシセンシティブサービスに既に割り当てられているリソースエレメントを先取りする段階である、請求項２に記載の方法。
【請求項４】
前記レイテンシセンシティブサービスのために、時間領域において、前記非レイテンシセンシティブサービスに既に割り当てられている前記エアインタフェースリソースを前記先取りする段階は、具体的に、
前記ＴＴＩが固定値の場合、前記レイテンシセンシティブサービスのために、時間領域において、前記非レイテンシセンシティブサービスに既に割り当てられている前記エアインタフェースリソースを先取りする段階である、請求項２に記載の方法。
【請求項５】
前記レイテンシセンシティブサービスのために、前記非レイテンシセンシティブサービスに既に割り当てられている前記エアインタフェースリソースを前記先取りする段階は、具体的に、
前記レイテンシセンシティブサービスのために、周波数領域において、前記非レイテンシセンシティブサービスに既に割り当てられている前記エアインタフェースリソースを先取りする段階である、請求項１に記載の方法。
【請求項６】
前記レイテンシセンシティブサービスのために、周波数領域において、前記非レイテンシセンシティブサービスに既に割り当てられている前記エアインタフェースリソースを前記先取りする段階は、具体的に、
前記レイテンシセンシティブサービスのために、前記ＴＴＩの一部に該当する複数の直交周波数分割多重ＯＦＤＭシンボルの時間内のすべての周波数帯域のサブキャリア上の、前記非レイテンシセンシティブサービスに既に割り当てられているリソースエレメントを先取りする段階である、請求項５に記載の方法。
【請求項７】
前記レイテンシセンシティブサービスのために、周波数領域において、前記非レイテンシセンシティブサービスに既に割り当てられている前記エアインタフェースリソースを前記先取りする段階は、具体的に、
前記ＴＴＩが非固定値の場合、前記レイテンシセンシティブサービスのために、周波数領域において、前記非レイテンシセンシティブサービスに既に割り当てられている前記エアインタフェースリソースを先取りする段階である、請求項５に記載の方法。
【請求項８】
エアインタフェースリソースを非レイテンシセンシティブサービスに前記割り当てる段階の前に、前記方法は、
前記レイテンシセンシティブサービスのために、前記ＴＴＩ内の前記すべての周波数帯域の前記サブキャリア上のエアインタフェースリソースを確保する段階を備え、
エアインタフェースリソースを非レイテンシセンシティブサービスに前記割り当てる段階は、具体的に、前記確保されたエアインタフェースリソースの一部または全部を前記非レイテンシセンシティブサービスに割り当て可能にする段階であり、
エアインタフェースリソースをレイテンシセンシティブサービスに前記割り当てる段階は、具体的に、
前記レイテンシセンシティブサービスのために、前記確保されたエアインタフェースリソース中で、前記非レイテンシセンシティブサービスに既に割り当てられている前記エアインタフェースリソースを先取りする段階である、請求項１から７のいずれか一項に記載の方法。
【請求項９】
エアインタフェースリソースをレイテンシセンシティブサービスに前記割り当てる段階は、具体的に、
前記エアインタフェースリソース中のアイドルのリソースエレメントを優先的に割り当てる段階と、
前記アイドルのリソースエレメントの量が、前記レイテンシセンシティブサービスが要求するリソースエレメントの量を満たすことができない場合、前記レイテンシセンシティブサービスのために、前記非レイテンシセンシティブサービスに既に割り当てられている前記リソースエレメントを先取りする段階と、である、請求項１から８のいずれか一項に記載の方法。
【請求項１０】
エアインタフェースリソースをレイテンシセンシティブサービスに前記割り当てる段階の後に、前記方法は、
前記現在のＴＴＩ時間内の前記すべての周波数帯域の前記サブキャリアのリソースエレメントが最初に前記非レイテンシセンシティブサービスに割り当てられ、次に前記レイテンシセンシティブサービスに割り当てられているかを判定する段階と、
前記現在のＴＴＩ時間内の前記すべての周波数帯域の前記サブキャリアの前記リソースエレメントが最初に前記非レイテンシセンシティブサービスに割り当てられ、次に前記レイテンシセンシティブサービスに割り当てられている場合、前記レイテンシセンシティブサービスに情報を送信し、前記非レイテンシセンシティブサービスへの情報の送信を停止する段階と、を備える、請求項１から９のいずれか一項に記載の方法。
【請求項１１】
エアインタフェースリソースを非レイテンシセンシティブサービスに割り当て、並びに、現在の送信時間間隔ＴＴＩ内のすべての周波数帯域のサブキャリア上のエアインタフェースリソースをレイテンシセンシティブサービスに割り当て、および、前記レイテンシセンシティブサービスのために、前記非レイテンシセンシティブサービスに既に割り当てられている前記エアインタフェースリソースを先取りする、よう構成されているプロセッサであって、前記レイテンシセンシティブサービスは、前記非レイテンシセンシティブサービスよりも、前記エアインタフェースリソースの取得に関し高い優先度を有する、プロセッサと、
前記割り当てられたエアインタフェースリソースに基づき、前記レイテンシセンシティブサービスに対応する端末または前記非レイテンシセンシティブサービスに対応する端末に、データおよび／または制御情報を送信するよう構成されている送信機と、を備える、ネットワークデバイス。
【請求項１２】
前記プロセッサが、前記レイテンシセンシティブサービスのために、前記非レイテンシセンシティブサービスに既に割り当てられている前記エアインタフェースリソースを先取りすることは、具体的に、
前記プロセッサが、前記レイテンシセンシティブサービスのために、時間領域において、前記非レイテンシセンシティブサービスに既に割り当てられている前記エアインタフェースリソースを先取りすることである、請求項１１に記載のネットワークデバイス。
【請求項１３】
前記プロセッサが、前記レイテンシセンシティブサービスのために、時間領域において、前記非レイテンシセンシティブサービスに既に割り当てられている前記エアインタフェースリソースを先取りすることは、具体的に、
前記プロセッサが、前記レイテンシセンシティブサービスのために、前記ＴＴＩ全体内の一部の周波数帯域の複数のサブキャリア上の、前記非レイテンシセンシティブサービスに既に割り当てられているリソースエレメントを先取りすることである、請求項１２に記載のネットワークデバイス。
【請求項１４】
前記プロセッサが、前記レイテンシセンシティブサービスのために、前記非レイテンシセンシティブサービスに既に割り当てられている前記エアインタフェースリソースを先取りすることは、具体的に、
前記プロセッサが、前記レイテンシセンシティブサービスのために、周波数領域において、前記非レイテンシセンシティブサービスに既に割り当てられている前記エアインタフェースリソースを先取りすることである、請求項１１に記載のネットワークデバイス。
【請求項１５】
前記プロセッサが、前記レイテンシセンシティブサービスのために、周波数領域において、前記非レイテンシセンシティブサービスに既に割り当てられている前記エアインタフェースリソースを先取りすることは、具体的に、
前記プロセッサが、前記レイテンシセンシティブサービスのために、前記ＴＴＩの一部に該当する複数の直交周波数分割多重ＯＦＤＭシンボルの時間内のすべての周波数帯域のサブキャリア上の、前記非レイテンシセンシティブサービスに既に割り当てられているリソースエレメントを先取りすることである、請求項１４に記載のネットワークデバイス。
【請求項１６】
前記プロセッサは、さらに、
エアインタフェースリソースを非レイテンシセンシティブサービスに前記割り当てる前に、前記レイテンシセンシティブサービスのために、前記ＴＴＩ内の前記すべての周波数帯域の前記サブキャリア上のエアインタフェースリソースを確保する、
前記エアインタフェースリソースを前記非レイテンシセンシティブサービスに割り当てるとき、前記確保されたエアインタフェースリソースの一部または全部を前記非レイテンシセンシティブサービスに割り当て可能にする、および、
前記エアインタフェースリソースを前記レイテンシセンシティブサービスに割り当てるとき、前記レイテンシセンシティブサービスのために、前記確保されたエアインタフェースリソース中で、前記非レイテンシセンシティブサービスに既に割り当てられている前記エアインタフェースリソースを先取りする、よう構成されている、請求項１１から１５のいずれか一項に記載のネットワークデバイス。
【請求項１７】
前記プロセッサは、さらに、
前記エアインタフェースリソースを前記レイテンシセンシティブサービスに割り当てるとき、前記エアインタフェースリソース中のアイドルのリソースエレメントを優先的に割り当てる、および、
前記アイドルのリソースエレメントの量が、前記レイテンシセンシティブサービスが要求するリソースエレメントの量を満たすことができない場合、前記レイテンシセンシティブサービスのために、前記非レイテンシセンシティブサービスに既に割り当てられている前記リソースエレメントを先取りする、よう構成されている、請求項１１から１６のいずれか一項に記載のネットワークデバイス。
【請求項１８】
エアインタフェースリソースを非レイテンシセンシティブサービスに割り当てるよう構成された非レイテンシセンシティブサービスリソース割り当てモジュールと、
現在の送信時間間隔ＴＴＩ内のすべての周波数帯域のサブキャリア上のエアインタフェースリソースをレイテンシセンシティブサービスに割り当て、前記レイテンシセンシティブサービスのために、前記非レイテンシセンシティブサービスに既に割り当てられている前記エアインタフェースリソースを先取りする、よう構成されたレイテンシセンシティブサービスリソース割り当てモジュールと、を備え、
前記レイテンシセンシティブサービスは、前記非レイテンシセンシティブサービスよりも、前記エアインタフェースリソースの取得に関し高い優先度を有する、エアインタフェースリソース割り当て装置。
【請求項１９】
前記レイテンシセンシティブサービスリソース割り当てモジュールは、具体的に、
前記レイテンシセンシティブサービスのために、時間領域において、前記非レイテンシセンシティブサービスに既に割り当てられている前記エアインタフェースリソースを先取りするよう構成されている、請求項１８に記載の装置。
【請求項２０】
前記レイテンシセンシティブサービスリソース割り当てモジュールが、前記レイテンシセンシティブサービスのために、時間領域において、前記非レイテンシセンシティブサービスに既に割り当てられている前記エアインタフェースリソースを先取りすることは、具体的に、
前記レイテンシセンシティブサービスリソース割り当てモジュールが、前記レイテンシセンシティブサービスのために、前記ＴＴＩ全体の時間内の一部の周波数帯域の複数のサブキャリア上の、前記非レイテンシセンシティブサービスに既に割り当てられているリソースエレメントを先取りすることである、請求項１９に記載の装置。
【請求項２１】
前記レイテンシセンシティブサービスリソース割り当てモジュールは、具体的に、
前記レイテンシセンシティブサービスのために、周波数領域において、前記非レイテンシセンシティブサービスに既に割り当てられている前記エアインタフェースリソースを先取りするよう構成されている、請求項１８に記載の装置。
【請求項２２】
前記レイテンシセンシティブサービスリソース割り当てモジュールが、前記レイテンシセンシティブサービスのために、周波数領域において、前記非レイテンシセンシティブサービスに既に割り当てられている前記エアインタフェースリソースを先取りすることは、具体的に、
前記レイテンシセンシティブサービスリソース割り当てモジュールが、前記レイテンシセンシティブサービスのために、前記ＴＴＩの一部に該当する複数の直交周波数分割多重ＯＦＤＭシンボルの時間内のすべての周波数帯域のサブキャリア上の、前記非レイテンシセンシティブサービスに既に割り当てられているリソースエレメントを先取りすることである、請求項２１に記載の方法。
【発明の詳細な説明】
【技術分野】
【０００１】
本願は、通信技術の分野、具体的には、エアインタフェースリソース割り当てに関する。
【背景技術】
【０００２】
エンハンスドモバイルブロードバンド（Ｅｎｈａｎｃｅｄ  Ｍｏｂｉｌｅ  Ｂｒｏａｄｂａｎｄ，  ｅＭＢＢ）および超高信頼／低レイテンシマシンタイプ通信（Ｕｌｔｒａ−ｒｅｌｉａｂｌｅ  ａｎｄ  ｌｏｗ  ｌａｔｅｎｃｙ  Ｍａｃｈｉｎｅ  Ｔｙｐｅ  Ｃｏｍｍｕｎｉｃａｔｉｏｎｓ，  ｕＭＴＣ）は、国際電気通信連合（英語でＩｎｔｅｒｎａｔｉｏｎａｌ  Ｔｅｌｅｃｏｍｍｕｎｉｃａｔｉｏｎ  Ｕｎｉｏｎ，略してＩＴＵ）で定義される５世代モバイル通信技術（英語で５ｔｈ  Ｇｅｎｅｒａｔｉｏｎ，略して５Ｇ）における２つの主要なサービスタイプである。
【０００３】
ｅＭＢＢサービスとは、既存のモバイルサービスシナリオを基に、ユーザエクスペリエンス等の性能をさらに向上させるサービスである。ｅＭＭＢサービスは、より高いデータレート、および、より大きなモバイル帯域幅を予期している。先行技術と比較すると、ｅＭＢＢサービスはユーザデータレートを大きく向上させる。また、ｅＭＢＢサービスはさらに、高いスペクトル効率を有する。従って、ｅＭＢＢ端末をスケジューリングすると、比較的大量の演算が生じ、時間がかかる。さらに、ｅＭＢＢサービスは非レイテンシセンシティブサービスであり、レイテンシに対する要求は低い。通常、レイテンシは１０ミリ秒を超えてよい。
【０００４】
ｕＭＴＣサービスは、ウルトラ低レイテンシを要求する。従って、ｕＭＴＣ端末のスケジューリングは、より短い時間を消費する。通常、ｕＭＴＣスケジューリングの開始は、ｅＭＢＢスケジューリングの開始より後である。ｕＭＴＣサービスは、主に工業製造プロセスにおける無線制御を含む、例えば、遠隔治療手術、ディストリビューションオートメーションおよび交通安全といった、モノのインターネットでのモノ対モノ通信に主に適用される。ｕＭＴＣサービスは、より低レイテンシを予期し、通常１ミリ秒未満のレイテンシを必要とする。バーストデータ送信のためのｕＭＴＣサービスのレイテンシ要件を満たすには、ｕＭＴＣサービスが送信されるべきデータを有する場合、大量のエアインタフェースリソースがｕＭＴＣサービスに割り当てられる必要があり、かつ、ｕＭＴＣサービスは優先的にエアインタフェースリソースを使用する必要があり、ｕＭＴＣサービスのデータおよび制御情報のタイムリーかつ正確な送信を保証する。
【０００５】
ｕＭＴＣサービスは、ｅＭＢＢサービスよりも、アクティブ化される可能性または頻度が比較的低い。従って、ｕＭＴＣサービスの高信頼性を保証すべく、ｕＭＴＣサービスに大量のエアインタフェースリソースが確保される場合、確保されたエアインタフェースリソースは、多くの時間アイドル状態にある。これは、エアインタフェースリソースの効率を下げ、リソースの無駄を生じさせる。しかしながら、ｕＭＴＣサービスに対しエアインタフェースリソースが確保されない場合、ｕＭＴＣサービスのデータおよび制御情報のタイムリーかつ正確な送信は保証できない。
【発明の概要】
【０００６】
本願は、レイテンシセンシティブサービスのデータおよび制御情報のタイムリーかつ正確な送信を保証するためのエアインタフェースリソース割り当て方法およびネットワークデバイスを提供する。
【０００７】
一態様によると、本願は、エアインタフェースリソース割り当て方法を提供する。当該方法は、エアインタフェースを非レイテンシセンシティブサービスに割り当てる段階と、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りする段階と、を備え、レイテンシセンシティブサービスは、非レイテンシセンシティブサービスよりも、エアインタフェースリソースの取得に関し高い優先度を有する、エアインタフェースリソース割り当て方法である。
【０００８】
本願の本実施形態において、非レイテンシセンシティブサービスに既に割り当てられているエアインタフェースリソースは、レイテンシセンシティブサービスのために先取りされ、これにより、後からスケジューリングされるレイテンシセンシティブサービスのタイムリーかつ正確な送信を保証する。また、非レイテンシセンシティブサービスが要求するリソースエレメントの量が、要求に基づき非レイテンシセンシティブサービスに割り当て可能であり、これにより、リソースの無駄が回避され、エアインタフェースリソースが節約される。
【０００９】
別の態様によると、本願の一実施形態はネットワークデバイスを提供する。ネットワークデバイスは、プロセッサおよび送信機を含む。プロセッサは、エアインタフェースリソースを非レイテンシセンシティブサービスに割り当て、並びに、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りするよう構成されている。レイテンシセンシティブサービスは、非レイテンシセンシティブサービスよりも、エアインタフェースリソースの取得に関し高い優先度を有する。送信機は、割り当てられたエアインタフェースリソースに基づき、レイテンシセンシティブサービスに対応する端末または非レイテンシセンシティブサービスに対応する端末に、データおよび／または制御情報を送信するよう構成されている。
【００１０】
別の態様によると、本願の一実施形態は、エアインタフェースリソース割り当て装置を提供する。装置は、非レイテンシセンシティブサービスリソース割り当てモジュールおよびレイテンシセンシティブサービスリソース割り当てモジュールを含む。非レイテンシセンシティブサービスリソース割り当てモジュールは、エアインタフェースリソースを非レイテンシセンシティブサービスに割り当てるよう構成されている。レイテンシセンシティブサービスリソース割り当てモジュールは、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りするよう構成されている。レイテンシセンシティブサービスは、非レイテンシセンシティブサービスよりも、エアインタフェースリソースの取得に関し高い優先度を有する。
【００１１】
本願の一設計において、ネットワークデバイスは基地局またはリモート無線ユニットである。
【００１２】
本願の一設計において、レイテンシセンシティブサービスに割り当てられたエアインタフェースリソースは、非レイテンシセンシティブサービスに既に割り当てられているエアインタフェースリソースを含む。
【００１３】
本願の一設計において、レイテンシセンシティブサービスのために、非レイテンシセンシティブサービスに既に割り当てられているエアインタフェースリソースを先取りすることは、具体的に、レイテンシセンシティブサービスのために、時間領域において、非レイテンシセンシティブサービスに既に割り当てられているエアインタフェースリソースを先取りすることである。
【００１４】
本願の一設計において、レイテンシセンシティブサービスのために、時間領域において、非レイテンシセンシティブサービスに既に割り当てられているエアインタフェースリソースを先取りすることは、具体的に、レイテンシセンシティブサービスのために、ＴＴＩ全体内の一部の周波数帯域の複数のサブキャリア上の、非レイテンシセンシティブサービスに既に割り当てられているリソースエレメントを先取りすることである。
【００１５】
本願の一設計において、レイテンシセンシティブサービスのために、時間領域において、非レイテンシセンシティブサービスに既に割り当てられているエアインタフェースリソースを先取りすることは、具体的に、ＴＴＩが固定値の場合、レイテンシセンシティブサービスのために、時間領域において、非レイテンシセンシティブサービスに既に割り当てられているエアインタフェースリソースを先取りすることである。
【００１６】
本願の一設計において、レイテンシセンシティブサービスのために、非レイテンシセンシティブサービスに既に割り当てられているエアインタフェースリソースを先取りすることは、具体的に、レイテンシセンシティブサービスのために、周波数領域において、非レイテンシセンシティブサービスに既に割り当てられているエアインタフェースリソースを先取りすることである。
【００１７】
本願の一設計において、レイテンシセンシティブサービスのために、周波数領域において、非レイテンシセンシティブサービスに既に割り当てられているエアインタフェースリソースを先取りすることは、具体的に、レイテンシセンシティブサービスのために、一部のＴＴＩに該当する複数の直交周波数分割多重ＯＦＤＭシンボルの時間内のすべての周波数帯域のサブキャリア上の、非レイテンシセンシティブサービスに既に割り当てられているリソースエレメントを先取りすることである。
【００１８】
本願の一設計において、レイテンシセンシティブサービスのために、周波数領域において、非レイテンシセンシティブサービスに既に割り当てられているエアインタフェースリソースを先取りすることは、具体的に、ＴＴＩが非固定値の場合、レイテンシセンシティブサービスのために、周波数領域において、非レイテンシセンシティブサービスに既に割り当てられているエアインタフェースリソースを先取りすることである。
【００１９】
本願の一設計において、エアインタフェースリソースを非レイテンシセンシティブサービスに割り当てる段階の前に、方法は、レイテンシセンシティブサービスのために、ＴＴＩ内のすべての周波数帯域のサブキャリア上のエアインタフェースリソースを確保する段階を備え、エアインタフェースリソースを非レイテンシセンシティブサービスに割り当てる段階は、具体的に、確保されたエアインタフェースリソースの一部または全部を非レイテンシセンシティブサービスに割り当て可能にする段階であり、エアインタフェースリソースをレイテンシセンシティブサービスに割り当てる段階は、具体的に、レイテンシセンシティブサービスのために、確保されたエアインタフェースリソース中で、非レイテンシセンシティブサービスに既に割り当てられているエアインタフェースリソースを先取りする段階である。
【００２０】
本願の一設計において、エアインタフェースリソースをレイテンシセンシティブサービスに割り当てる段階は、具体的に、エアインタフェースリソース中のアイドルのリソースエレメントを優先的に割り当てる段階と、アイドルのリソースエレメントの量が、レイテンシセンシティブサービスが要求するリソースエレメントの量を満たすことができない場合、レイテンシセンシティブサービスのために、非レイテンシセンシティブサービスに既に割り当てられているリソースエレメントを先取りする段階と、である。
【００２１】
本願の一設計において、エアインタフェースリソースをレイテンシセンシティブサービスに割り当てる段階の後に、方法は、現在のＴＴＩ時間内のすべての周波数帯域のサブキャリアのリソースエレメントが最初に非レイテンシセンシティブサービスに割り当てられ、次にレイテンシセンシティブサービスに割り当てられているかを判定する段階と、現在のＴＴＩ時間内のすべての周波数帯域のサブキャリアのリソースエレメントが最初に非レイテンシセンシティブサービスに割り当てられ、次にレイテンシセンシティブサービスに割り当てられている場合、レイテンシセンシティブサービスに情報を送信し、非レイテンシセンシティブサービスへの情報の送信を停止する段階と、を備える。
【００２２】
本願の実施形態において、レイテンシセンシティブサービスにエアインタフェースリソースを割り当てる優先度は、非レイテンシセンシティブサービスにエアインタフェースリソースを割り当てる優先度よりも高く、および、非レイテンシセンシティブサービスに既に割り当てられたエアインタフェースリソースは、レイテンシセンシティブサービスのために先取りされる。これにより、エアインタフェースリソースが、非レイテンシセンシティブサービスに最初に割り当てられる必要があり、次にエアインタフェースリソースがレイテンシセンシティブサービスに割り当てられ、エアインタフェースリソースが後で割り当てられるレイテンシセンシティブサービスが、十分な量のエアインタフェースリソースを要求する場合に生じるエアインタフェースリソース割り当ての課題を解決する。本願の実施形態におけるエアインタフェースリソース割り当て方法は、リソースの無駄を回避し、レイテンシセンシティブサービスのデータおよび制御情報のタイムリーかつ正確な送信を保証する。
【図面の簡単な説明】
【００２３】
【図１】エアインタフェースリソースの模式図である。
【００２４】
【図２】ネットワークデバイス、ｅＭＢＢ端末およびｕＭＴＣ端末が配置された通信システムの概略的アーキテクチャ図である。
【００２５】
【図３】ネットワークデバイスが、ｅＭＢＢ端末のスケジューリングおよびｕＭＴＣ端末のスケジューリングを開始し、データの送信を開始する時間領域の模式図である。
【００２６】
【図４】本願の一実施形態による、エアインタフェースリソース割り当て方法のフローチャートである。
【００２７】
【図５】本願の一実施形態による、エアインタフェースリソースが確保され、時間領域においてリソースが先取りされる、リソース割り当ての模式図である。
【００２８】
【図６】本願の一実施形態による、エアインタフェースリソースが確保されず、時間領域においてリソースが先取りされる、リソース割り当ての模式図である。
【００２９】
【図７】本願の一実施形態による、エアインタフェースリソースが確保されず、周波数領域においてリソースが先取りされる、リソース割り当ての模式図である。
【００３０】
【図８】本願の一実施形態による、ネットワークデバイスの模式図である。
【００３１】
【図９】本願の一実施形態による、エアインタフェースリソース割り当て装置の模式図である。
【発明を実施するための形態】
【００３２】
本発明の実施形態に係る目的、技術的解決手段および利点をより明確にするために、以下に、本発明の実施形態の添付図面を参照しつつ、本発明の実施形態の技術的解決手段について明確かつ完全に説明する。説明する実施形態は、本発明の実施形態のすべてではなく一部であることは明らかである。創造的な取り組みなしに、本発明の実施形態に基づき当業者に得られたすべての他の実施形態は、本発明の保護範囲に属する。
【００３３】
以下、本願のエアインタフェースリソースについて最初に簡単に説明する。
【００３４】
マルチキャリア無線通信システムでは、エアインタフェースリソースは、エアインタフェースの時間領域リソースおよび周波数領域リソースとして定義される。エアインタフェースとは、端末と、基地局またはリモート無線ユニット（英語でＲｅｍｏｔｅ  Ｒａｄｉｏ  Ｕｎｉｔ，略してＲＲＵ）等のネットワークデバイスとの間の無線インタフェースであり、および、無線通信における端末間の無線インタフェースである。エアインタフェースリソースは、時間領域および周波数領域に分割されてよい。例えば、時間領域におけるエアインタフェースリソースは、直交周波数分割多重（英語でＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ，略してＯＦＤＭ）シンボルとして表され、周波数領域におけるエアインタフェースリソースはサブキャリア（英語：ｓｕｂｃａｒｒｉｅｒ）として表される。これは、本発明における限定ではない。
【００３５】
図１に示すように、エアインタフェースリソースは、通常、リソースエレメント（英語でｒｅｓｏｕｒｃｅ  ｅｌｅｍｅｎｔ，略してＲＥ）、リソースブロック（英語でＲｅｓｏｕｒｃｅ  Ｂｌｏｃｋ，略してＲＢ）、ＯＦＤＭシンボル、サブキャリアおよび送信時間間隔（英語でｔｒａｎｓｍｉｓｓｉｏｎ  ｔｉｍｅ  ｉｎｔｅｒｖａｌ，略してＴＴＩ）で表される。
【００３６】
図１中、リソースエレメントＲＥは小さい矩形で表される。１つのＲＥは、１つのＯＦＤＭシンボルの時間内のサブキャリアリソースを表わす。換言すると、各ＲＥは時間領域では１つのＯＦＤＭシンボルで表され、周波数領域では１つのサブキャリアで表される。送信時間間隔ＴＴＩは通常、時間領域におけるサブフレームであり、時間において連続的である複数の（例えば、ｎ個）ＯＦＤＭシンボルを含む。１ＴＴＩにつき一回、スケジューリングおよびリソース割り当てが実行される。リソースブロックＲＢは、１つのＴＴＩの複数の（例えば、ｍ個）サブキャリアを含む。
【００３７】
以下、本願におけるネットワークデバイス、レイテンシセンシティブサービスで構成された端末、および非レイテンシセンシティブサービスで構成された端末を含む通信システムのアーキテクチャについて説明を続ける。
【００３８】
図２中、マルチキャリア無線通信システムにおいて、例えば、ｕＭＴＣ端末のようなレイテンシセンシティブサービス端末、および、例えば、ｅＭＢＢ端末のような非レイテンシセンシティブサービス端末が１つの同一のセル内に共存している。基地局ｅＮｏｄｅＢまたはリモート無線ユニットＲＲＵ等のネットワークデバイスは、ｕＭＴＣ端末およびｅＭＢＢ端末へのエアインタフェースリソースのスケジューリング並びに割り当てを開始し、対応する端末デバイスに、ダウンリンクデータおよび制御情報を、割り当てられたエアインタフェースリソースを使用して送信する。制御情報は、対応する端末デバイスによって、データの送信のために要求される、および、例えば、基地局のようなネットワークデバイスによって対応する端末デバイスに割り当てられる、エアインタフェースリソースの割り当て状態を含む。換言すると、制御情報は、対応する端末のエアインタフェースリソース割り当てを含む。
【００３９】
エアインタフェースリソース割り当てはまた、無線リソース割り当てである。本願の実施形態におけるエアインタフェースリソース割り当ては、同一のエリア（例えば、同一のセル）におけるネットワークデバイス並びにｅＭＢＢ端末およびｕＭＴＣ端末等の異なるサービス端末への複数のリソースエレメントＲＥの割り当てであり、その結果、データおよび制御情報が、割り当てられたリソースエレメントＲＥに基づいて送信され、ネットワークデバイスは、１ＴＴＩにつき一回、各端末にスケジューリングおよびエアインタフェースリソース割り当てを実行する。
【００４０】
ｅＭＢＢ端末またはｕＭＴＣ端末等の端末デバイスは、ダウンリンクデータおよび制御情報を基地局等のネットワークデバイスから受信する。端末デバイスは、受信した制御情報に基づき、アップリンクデータの送信のために端末デバイスによって要求される、および、ネットワークデバイスによって割り当てられる、エアインタフェースリソースを取得する。すなわち、端末デバイスは、ネットワークデバイスによって割り当てられたエアインタフェースリソースに基づき、アップリンクデータを送信する。
【００４１】
本願の実施形態におけるネットワークデバイスは、基地局、ＲＲＵ等を含む。端末デバイスは、例えば、ｕＭＴＣ端末のようなレイテンシセンシティブサービス端末、および、例えば、ｅＭＢＢ端末のような非レイテンシセンシティブサービス端末を含む。本願の実施形態において、レイテンシセンシティブサービス端末はｕＭＴＣ端末に限定されず、非レイテンシセンシティブサービス端末はｅＭＢＢ端末に限定されない。例えば、非レイテンシセンシティブサービス端末は、代替的にｍＭＴＣ（Ｍａｓｓｉｖｅ  ｍａｃｈｉｎｅ  ｔｙｐｅ  ｃｏｍｍｕｎｉｃａｔｉｏｎｓ，大量のマシンタイプ通信）端末であってよい。以下、レイテンシセンシティブサービス端末がｕＭＴＣ端末であり、非レイテンシセンシティブサービス端末がｅＭＢＢ端末であり、ネットワークデバイスが基地局である一例を用い、ネットワークデバイスが、エアインタフェースリソースを非レイテンシセンシティブサービス端末およびレイテンシセンシティブサービス端末に割り当てる方法について説明する。
【００４２】
図３に示すように、基地局がｅＭＢＢ端末のスケジューリングを開始する時間は、ｕＭＴＣ端末のスケジューリングを開始する時間より前である。すなわち、Ｔ２はＴ１より前であり、Ｔ１はＴ０より前である。時間Ｔ２で、基地局はｅＭＢＢ端末のスケジューリングを開始し、ｅＭＢＢ端末にエアインタフェースリソースを割り当てる。時間Ｔ１で、基地局は、ｕＭＴＣ端末のスケジューリングを開始し、ｕＭＴＣ端末にエアインタフェースリソースを割り当てる。時間Ｔ０で、基地局は、割り当てられたエアインタフェースリソースを使用して、データおよび制御情報を送信する。
【００４３】
基地局は、基地局とｕＭＴＣ端末との間での情報のタイムリーかつ正確な送信を保証すべく、ｕＭＴＣ端末のスケジューリングを後の時間で開始するが、ｕＭＴＣ端末はレイテンシセンシティブサービス端末であるので、基地局は、基地局とｕＭＴＣ端末との間の情報送信のために、十分なエアインタフェースリソースを割り当てる必要がある。しかしながら、スペクトル効率および無線通信システムのスループットを向上させるべく、基地局とｅＭＢＢ端末との間の情報送信については、エアインタフェースリソースは可能な限り効率的に用いられる必要がある。単にｕＭＴＣサービスのためにエアインタフェースリソースを確保し、確保されたエアインタフェースリソースをｅＭＢＢサービスに使用可能にしないことにより、過度のエアインタフェースリソースの無駄を生じさせる。これは、ｕＭＴＣ端末がアクティブ化されている可能性が比較的低いからである。エアインタフェースリソースがｕＭＴＣサービスのために確保され、確保されたエアインタフェースリソースがｅＭＢＢサービスによって使用できない場合に、確保されたエアインタフェースリソースが多くの時間においてアイドル状態であると、結果的に、エアインタフェースリソースの利用率を過度に低いものとし、過度のエアインタフェースリソースの無駄を生じさせる。
【００４４】
本願の本実施形態において、エアインタフェースリソースが最初にｅＭＢＢサービスに割り当てられ、次にエアインタフェースリソースがｕＭＴＣサービスに割り当てられ、ｕＭＴＣサービスに割り当てられるエアインタフェースリソースの優先度は、ｅＭＢＢサービスに割り当てられるエアインタフェースリソースの優先度より高い。換言すると、本願の本実施形態において、情報送信のために十分なエアインタフェースリソースが最初にｅＭＢＢサービスに割り当てられ、次に、エアインタフェースリソースがｕＭＴＣサービスに割り当てられる。ｕＭＴＣサービスのためにエアインタフェースリソース割り当てが実行されるとき、十分なエアインタフェースリソースがｕＭＴＣサービスに割り当てられ得ることを保証すべく、ｅＭＢＢサービスに既に割り当てられているエアインタフェースリソースは、ｕＭＴＣサービスのために先取りされてよい。
【００４５】
エアインタフェースリソースをｅＭＢＢサービスに割り当てることは、ｅＭＢＢ端末とネットワークデバイスとの間での情報送信のためにエアインタフェースリソースを割り当てることを意味する。同様に、エアインタフェースリソースをｕＭＴＣサービスに割り当てることは、ｕＭＴＣ端末とネットワークデバイスとの間での情報送信のためにエアインタフェースリソースを割り当てることを意味する。
【００４６】
以下、図４および図５〜７を参照し、基地局がエアインタフェースリソースをレイテンシセンシティブサービスおよび非レイテンシセンシティブサービスに割り当てる方法について説明する。
【００４７】
通常、基地局は、複数のｕＭＴＣ端末および複数のｅＭＢＢ端末と情報を交換し、並びに、複数のｕＭＴＣ端末および複数のｅＭＢＢ端末に対し、エアインタフェースリソースを割り当てる必要がある。以下、ネットワークデバイスが、１つのｕＭＴＣ端末および２つのｅＭＢＢ端末、すなわち、ｅＭＢＢ端末１およびｅＭＢＢ端末２と情報を交換し、並びに、当該端末に対し、エアインタフェースリソースを割り当てる一例を用いて、ネットワークデバイスが、エアインタフェースリソースをレイテンシセンシティブサービスおよび非レイテンシセンシティブサービスに割り当てる方法について説明する。
【００４８】
ステップ４１０：基地局は、例えば、ｕＭＴＣサービスのようなレイテンシセンシティブサービスのためにエアインタフェースリソースを確保する。ここで確保されたエアインタフェースリソースは、また、例えば、ｅＭＢＢサービスのような非レイテンシセンシティブサービスにも割り当てられてよく、基地局は、確保されていないエアインタフェースリソースを非レイテンシセンシティブサービスに優先的に割り当てる。
【００４９】
換言すると、ｕＭＴＣサービスに割り当てられる前に、確保されたエアインタフェースリソースはｅＭＢＢサービスに割り当てられてよく、ｕＭＴＣサービスは、ｅＭＢＢサービスよりも、確保されたエアインタフェースリソースの割り当てに関し、高い優先度を有する。すなわち、確保されたエアインタフェースリソースについて、ｕＭＴＣサービスの使用優先度は、ｅＭＢＢサービスの使用優先度より高い。また、基地局は、確保されていないエアインタフェースリソースを非レイテンシセンシティブサービスに優先的に割り当てる。基地局は、確保されたエアインタフェースリソースをｅＭＢＢサービスに割り当ててよく、ｕＭＴＣサービスが確保されたエアインタフェースリソースの一部または全部を要求すると、基地局は確保されたエアインタフェースリソースの一部または全部をｕＭＴＣサービスに割り当てる。
【００５０】
一例において、基地局は、ｕＭＴＣサービスのために、時間領域において、ｅＭＢＢサービスに既に割り当てられているエアインタフェースリソースを先取りする。
【００５１】
さらに、基地局は、ｕＭＴＣサービスのために、現在の送信時間間隔ＴＴＩ全体内で、一部の周波数帯域の複数のサブキャリアからなり、および、ｅＭＢＢサービスに既に割り当てられているリソースエレメントを先取りする。詳細は、図５を参照されたい。
【００５２】
別の例において、基地局は、ｕＭＴＣサービスのために、周波数領域において、ｅＭＢＢサービスに既に割り当てられているエアインタフェースリソースを先取りする。
【００５３】
さらに、基地局は、ｕＭＴＣサービスのために、一部のＴＴＩ内の、複数の直交周波数分割多重ＯＦＤＭシンボルの時間内のすべての周波数帯域のすべてのサブキャリア上にあり、および、ｅＭＢＢサービスに既に割り当てられているリソースエレメントを先取りする。詳細は、図７を参照されたい。
【００５４】
図５中、横座標は時間領域を表わし、縦座標は周波数領域を表わす。図５中の１ブロックは、複数のリソースブロックＲＢ、すなわち、複数のリソースエレメントＲＥを含むエアインタフェースリソースを示す。図５中の最大のブロックは、横方向にＴＴＩ全体、すなわち、送信時間間隔を表わし、縦方向にすべての周波数帯域のすべてのサブキャリアを表わす。別のブロックは、横方向に１つのＴＴＩの時間を表わし、縦方向に、一部の周波数帯域の複数のサブキャリアを表わす。
【００５５】
ステップ４２０：図５中、時間Ｔ２で、基地局は、ｅＭＢＢサービス１およびｅＭＢＢサービス２のためにスケジューリングを開始し、基地局とｅＭＢＢ端末１との間の情報の交換のためにｅＭＢＢ端末１が要求するエアインタフェースリソースを割り当て、および、基地局とｅＭＢＢ端末２との間の情報の交換のために基地局とｅＭＢＢ端末２とが要求するエアインタフェースリソースを割り当てる。ここで、時間Ｔ２はＴ１より前であり、時間Ｔ１は時間Ｔ０より前である。
【００５６】
一例において、基地局によってｅＭＢＢサービスに割り当てられたエアインタフェースリソースは、ｕＭＴＣサービスのために確保されたエアインタフェースリソースを含む。
【００５７】
図５に示すように、基地局によってｅＭＢＢサービス１およびｅＭＢＢサービス２に割り当てられたエアインタフェースリソースは、ＴＴＩ全体内のすべての周波数帯域のすべてのサブキャリア上のエアインタフェースリソースである。
【００５８】
さらに、基地局は、確保されていないエアインタフェースリソースをｅＭＢＢサービス１およびｅＭＢＢサービス２に優先的に割り当てる。確保されていないリソースエレメントの量が、ｅＭＢＢサービス１およびｅＭＢＢサービス２が要求するリソースエレメントの量を満たすことができない場合、実際の要求に基づき、確保されたエアインタフェースリソースの一部または全部がｅＭＢＢサービス２に割り当てられる。
【００５９】
ステップ４３０：時間Ｔ１で、基地局は、ｕＭＴＣサービスのスケジューリングを開始し、エアインタフェースリソースをｕＭＴＣサービスに割り当てる。ここで、ｕＭＴＣサービスに割り当てられるエアインタフェースリソースは、ｅＭＢＢ端末に既に割り当てられたエアインタフェースリソースを含んでよい。
【００６０】
さらに、ネットワークデバイスが、エアインタフェースリソースをｕＭＴＣサービスに割り当てるとき、アイドルの確保されたエアインタフェースリソースを優先的に割り当てる。アイドルの確保されたリソースエレメントの量が、ｕＭＴＣサービスが要求するリソースエレメントの量を満たすことができない場合、基地局は、ｕＭＴＣサービスのために、ｕＭＴＣサービスの要求に基づき、ｅＭＢＢサービス２に既に割り当てられている確保されたリソースエレメントを先取りする。
【００６１】
ｕＭＴＣサービスが要求するリソースエレメントの量がアイドルの確保されたリソースエレメントの量を超えている場合は、基地局は、ｕＭＴＣサービスのために、時間領域において、ｅＭＢＢサービス２に既に割り当てられているリソースエレメントを先取りし、当該先取りされたリソースエレメントは、ＴＴＩ全体の時間内の一部の周波数帯域の複数のサブキャリアで構成されるリソースエレメントであることがわかる。換言すると、ネットワークデバイスがｕＭＴＣサービスに割り当てたリソースエレメントは、時間領域においては、ＴＴＩ全体の時間内のＯＦＤＭシンボルを含み、および、周波数領域においては、一部の周波数帯域の複数のサブキャリアを含む。
【００６２】
ｕＭＴＣサービスのために、ＴＴＩ全体内の一部の周波数帯域の複数のサブキャリアのリソースエレメントを先取りすることは、固定の送信時間間隔ＴＴＩの事例に適用可能である。すなわち、ＴＴＩが固定値の事例に適用可能であることに留意されたい。
【００６３】
結論として、ＴＴＩ全体の時間内のすべての周波数帯域のすべてのサブキャリア上で、基地局は、ｕＭＴＣサービスのためにエアインタフェースリソースを確保してよい。ｅＭＢＢサービスにエアインタフェースリソースを割り当てるとき、ネットワークデバイスは確保されたエアインタフェースリソースの一部または全部をｅＭＢＢサービス、例えば、ｅＭＢＢサービス２に割り当てることが可能である。エアインタフェースリソースをｕＭＴＣサービスに割り当てるとき、基地局はｕＭＴＣサービスのために、確保されたエアインタフェースリソース中で、ｅＭＢＢサービスに既に割り当てられているエアインタフェースリソースを先取りする。
【００６４】
本願の別の実施形態において、代替的に、ネットワークデバイスは、ｕＭＴＣサービスのためにエアインタフェースリソースを確保しなくてもよく、すなわち、上述のステップ４１０から４３０を実行しなくてもよい。詳細については、図６を参照されたい。
【００６５】
図６は、本願の一実施形態による、エアインタフェースリソースが確保されず、時間領域においてリソースが先取りされる、リソース割り当ての模式図である。
【００６６】
図６中、基地局は、ｕＭＴＣサービスのために、エアインタフェースリソースを確保しない。ｅＭＢＢサービスおよびｕＭＴＣサービスの両方は、ＴＴＩ全体内のすべての周波数帯域のすべてのサブキャリア上のエアインタフェースリソースを取得してよく、基地局はまずエアインタフェースリソースをｅＭＢＢサービスに割り当てる。エアインタフェースリソース後で割り当てられるｕＭＴＣサービスが、すべての周波数帯域のすべてのサブキャリア上のエアインタフェースリソースを取得するより高い優先度を有している。換言すると、基地局は、ＴＴＩ全体の時間内のすべての周波数帯域のすべてのサブキャリア上のエアインタフェースリソースをｅＭＢＢサービスに割り当ててよく、基地局がエアインタフェースリソースをｕＭＴＣサービスに割り当てるとき、基地局は、ｕＭＴＣサービスのために、ｕＭＴＣサービスの実際の要求に基づいて、ｅＭＢＢサービスに既に割り当てられているエアインタフェースリソースを先取りしてよい。
【００６７】
具体的には、時間Ｔ２で、基地局は、ｅＭＢＢサービス１およびｅＭＢＢサービス２に、ＴＴＩ全体の時間内のすべての周波数帯域のすべてのサブキャリア上にあり、かつ、ｅＭＢＢサービス１およびｅＭＢＢサービス２が要求するエアインタフェースリソースを割り当てる。時間Ｔ１で、基地局は、ｕＭＴＣサービスにエアインタフェースリソースを割り当てる。現在アイドルのリソースエレメントの量が、ｕＭＴＣサービスが要求するリソースエレメントの量を満たさない場合、基地局は、ｕＭＴＣサービスのために、ｕＭＴＣサービスが要求するリソースエレメントの量を満たすべく、ｅＭＢＢサービス２に既に割り当てられているリソースエレメントを先取りする。
【００６８】
図６に示すように、基地局は、ｕＭＴＣサービスのために、時間領域において、現在のＴＴＩ全体の時間内の一部の周波数帯域の複数のサブキャリアのリソースエレメントを先取りする。図６から、基地局が、時間領域においてリソースエレメントを優先的に先取りし、基地局は、時間領域においては、ＴＴＩ全体の時間内のすべてのリソースを先取りするが、周波数領域においては、一部の周波数帯域のリソースのみを先取りすることがわかる。
【００６９】
また、基地局は、周波数領域においてリソースを優先的に先取りしてもよい。換言すると、基地局は、図８に示すように、周波数領域において、すべての周波数帯域のすべての先取り可能なサブキャリアを先取りし、時間領域においては、当該ＴＴＩの一部内の複数のＯＦＤＭシンボルを先取りしてよい。先取り可能なサブキャリアは、基地局がｕＭＴＣサービスのために先取り可能な構成されたサブキャリアリソースである。
【００７０】
図７は、一例として、リソースエレメントの不確保を用い、基地局がｕＭＴＣサービスのために、周波数領域において優先的に、エアインタフェースリソースを先取りする方法を示す。
【００７１】
図７に示すように、ｕＭＴＣサービスが要求するリソースエレメントの量が、アイドルのリソースエレメントの量を超えている場合、基地局は、ｕＭＴＣサービスのために、ｅＭＢＢサービス２に既に割り当てられているエアインタフェースリソースを先取りする。先取りされたエアインタフェースリソースは、一部のＴＴＩに該当する複数のＯＦＤＭシンボルの時間内のすべての周波数帯域のすべてのサブキャリア上のリソースエレメントである。換言すると、基地局がｕＭＴＣサービスに割り当てたエアインタフェースリソースは、時間領域においては、一部のＴＴＩの時間内の複数のＯＦＤＭシンボルを含み、および、周波数領域においては、全周波数帯域の複数のサブキャリアを含む。本解決手段は、非固定の送信時間間隔ＴＴＩの事例に大半が適用可能であり、すなわち、ＴＴＩが可変値である事例に大半が適用可能である。
【００７２】
また、基地局がｕＭＴＣサービスのために、周波数領域において、エアインタフェースリソースを先取りし、ｕＭＴＣサービスのために、エアインタフェースリソースを確保しなくてよい事例の詳細については、図６および関連する内容の説明を参照されたく、詳細についてここで再び説明はしない。
【００７３】
ステップ４４０：時間Ｔ０で、基地局は、ｕＭＴＣサービスおよびｅＭＢＢサービスに割り当てられたエアインタフェースリソースに基づき、端末に送信される必要のあるデータおよび／または制御情報に対し、パケットアセンブリ、符号化、変調等を含む処理を実行し、処理されたデータおよび／または制御情報を対応する端末に送信する。
【００７４】
さらに、上述のステップ４４０は、さらに、現在のＴＴＩ時間内のすべての周波数帯域のすべてのサブキャリア上のリソースエレメントが最初にｅＭＢＢサービスに割り当てられ、次にｕＭＴＣサービスに割り当てられているかを判定すること、並びに、現在のＴＴＩ時間内のすべての周波数帯域のすべてのサブキャリア上のリソースエレメントが最初にｅＭＢＢサービスに割り当てられ、次にｕＭＴＣサービスに割り当てられている場合、対応するｕＭＴＣ端末にデータおよび／または制御情報を送信すること、および、ｅＭＢＢ端末への情報の送信を停止すること、を含む。
【００７５】
ステップ４５０：ｕＭＴＣ端末およびｅＭＢＢ端末を含む端末デバイスは、基地局から、ダウンリンクデータおよび／または制御情報を受信し、ここで、制御情報は、端末に対し、アップリンクデータの送信を指示するエアインタフェースリソース割り当て状態を含み、端末デバイスは、当該制御情報内のエアインタフェースリソース割り当て状態に従い、対応するアップリンクデータを送信する。
【００７６】
結論として、本願の本実施形態において、レイテンシセンシティブサービスのためにエアインタフェースリソースを先取りする様式は、レイテンシセンシティブサービスの正確かつタイムリーな送信を保証すべく、レイテンシセンシティブサービスが十分なエアインタフェースリソースを取得することを可能にする。また、エアインタフェースリソースは非レイテンシセンシティブサービスに最初に割り当てられ、および、任意のエアインタフェースリソース、すなわち、現在のＴＴＩ時間内のすべての周波数帯域のすべてのサブキャリア上のエアインタフェースリソースが、非レイテンシセンシティブサービスに割り当てられてよく、これにより、エアインタフェースリソースの無駄を回避し、エアインタフェースリソースを節約する。
【００７７】
図８は、本願の一実施形態による、ネットワークデバイスの模式図である。ネットワークデバイスは、例えば、基地局ｅＮｏｄｅＢまたはＲＲＵである。
【００７８】
図８中、ネットワークデバイス８００は、プロセッサ８１０、送信機８２０および受信機８３０を含む。
【００７９】
プロセッサ８１０は、非レイテンシセンシティブサービスのスケジューリングを開始し、当該非レイテンシセンシティブサービスに、現在の送信時間間隔ＴＴＩ内のすべての周波数帯域のサブキャリア上のエアインタフェースリソースを割り当て、次に、レイテンシセンシティブサービスのスケジューリングを開始し、当該レイテンシセンシティブサービスに、ＴＴＩ内のすべての周波数帯域のサブキャリア上のエアインタフェースリソースを割り当て、レイテンシセンシティブサービスのために、当該非レイテンシセンシティブサービスに既に割り当てられているエアインタフェースリソースを先取りする、ように構成されている。ここで、当該レイテンシセンシティブサービスは、当該非レイテンシセンシティブサービスよりも、エアインタフェースリソースの取得に関し高い優先度を有する。
【００８０】
送信機８２０は、割り当てられたエアインタフェースリソースに基づき、データおよび／または制御情報を、レイテンシセンシティブサービスで構成さられた端末または非レイテンシセンシティブサービスで構成された端末に、送信するよう構成されている。
【００８１】
一例において、プロセッサ８１０によってレイテンシセンシティブサービスに割り当てられたエアインタフェースリソースは、非レイテンシセンシティブサービスに既に割り当てられているエアインタフェースリソースを含む。
【００８２】
一例において、プロセッサ８１０は、さらに、レイテンシセンシティブサービスのために、時間領域において、非レイテンシセンシティブサービスに既に割り当てられているエアインタフェースリソースを先取りするよう構成されている。
【００８３】
さらに、プロセッサ８１０は、レイテンシセンシティブサービスのために、ＴＴＩ全体内の一部の周波数帯域の複数のサブキャリアで構成される、および、非レイテンシセンシティブサービスに既に割り当てられているリソースエレメントを、先取りするようさらに構成されている。
【００８４】
さらに、プロセッサ８１０は、ＴＴＩが固定値の場合、レイテンシセンシティブサービスのために、時間領域において、非レイテンシセンシティブサービスに既に割り当てられているエアインタフェースリソースを先取りするようさらに構成されている。
【００８５】
別の例において、プロセッサ８１０は、レイテンシセンシティブサービスのために、周波数領域において、非レイテンシセンシティブサービスに既に割り当てられているエアインタフェースリソースを先取りするようさらに構成されている。
【００８６】
さらに、プロセッサ８１０は、レイテンシセンシティブサービスのために、一部のＴＴＩに該当する複数の直交周波数分割多重ＯＦＤＭシンボルの時間内のすべての周波数帯域のサブキャリア上にある、および、非レイテンシセンシティブサービスに既に割り当てられているリソースエレメントを先取りするようさらに構成されている。
【００８７】
さらに、プロセッサ８１０は、ＴＴＩが非固定値の場合、レイテンシセンシティブサービスのために、周波数領域において、非レイテンシセンシティブサービスに既に割り当てられているエアインタフェースリソースを先取りするようさらに構成されている。
【００８８】
一例において、プロセッサ８１０は、レイテンシセンシティブサービスのために、ＴＴＩ内のすべての周波数帯域のサブキャリア上のエアインタフェースリソースを確保し、エアインタフェースリソースを非レイテンシセンシティブサービスに割り当てるとき、確保されたエアインタフェースリソースの一部または全部を、非レイテンシセンシティブサービスに割り当てることを可能にし、エアインタフェースリソースをレイテンシセンシティブサービスに割り当てるとき、レイテンシセンシティブサービスのために、確保されたエアインタフェースリソース中で、非レイテンシセンシティブサービスに既に割り当てられているエアインタフェースリソースを先取りする、ようさらに構成されている。
【００８９】
一例において、プロセッサ８１０は、エアインタフェースリソースをレイテンシセンシティブサービスに割り当てるとき、エアインタフェースリソース中でアイドルのリソースエレメントを優先的に割り当て、アイドルのリソースエレメントの量が、レイテンシセンシティブサービスが要求するリソースエレメントの量を満たすことができない場合、レイテンシセンシティブサービスのために、非レイテンシセンシティブサービスに既に割り当てられているリソースエレメントを先取りする、ようさらに構成されている。
【００９０】
一例において、プロセッサ８１０は、現在のＴＴＩ時間内のすべての周波数帯域のすべてのサブキャリア上のリソースエレメントが、最初に非レイテンシセンシティブサービスに割り当てられ、次にレイテンシセンシティブサービスに割り当てられているかを判定し、現在のＴＴＩ時間内のすべての周波数帯域のすべてのサブキャリア上のリソースエレメントが、最初に非レイテンシセンシティブサービスに割り当てられ、次にレイテンシセンシティブサービスに割り当てられている場合、通知を送信機８２０に送信するようさらに構成されている。送信機８２０は、当該通知に基づいて、データおよび／または制御情報を、レイテンシセンシティブサービスに送信し、非レイテンシセンシティブサービスへの情報の送信を停止するようさらに構成されている。
【００９１】
受信機８３０は、レイテンシセンシティブサービスで構成された端末または非レイテンシセンシティブサービスで構成された端末から、データを受信するよう構成されており、ここで、当該データはプロセッサ８１０によって割り当てられたエアインタフェースリソースに基づいて送信される。
【００９２】
図９は、本願の一実施形態による、エアインタフェースリソース割り当て装置の模式図である。ネットワークデバイス９００は、構成モジュール９１０、スケジューリングモジュール９２０、送信モジュール９３０、および受信モジュール９４０を含む。スケジューリングモジュール９２０は、非レイテンシセンシティブサービススケジューリングモジュール９２１、レイテンシセンシティブサービススケジューリングモジュール９２２およびリソース選択モジュール９２３を含む。
【００９３】
構成モジュール９１０は、レイテンシセンシティブサービス、例えば、ｕＭＴＣサービスのために、ＴＴＩ全体内のすべての周波数帯域のサブキャリア上のエアインタフェースリソースを確保し、および、確保されたエアインタフェースリソースの一部または全部を、非レイテンシセンシティブサービス、例えば、ｅＭＢＢサービスに割り当てることを可能にする、よう構成され、ここで、レイテンシセンシティブサービス、例えばｕＭＴＣサービスは、非レイテンシセンシティブサービス、例えば、ｅＭＢＢサービスよりも、確保されたエアインタフェースリソースの取得に関し高い優先度を有する。
【００９４】
スケジューリングモジュール９２０は、各非レイテンシセンシティブサービスおよび各レイテンシセンシティブサービスのために、スケジューリングを開始し、および、エアインタフェースリソースを割り当てる、よう構成されている。
【００９５】
スケジューリングモジュール９２０内の非レイテンシセンシティブサービススケジューリングモジュール９２１は、非レイテンシセンシティブサービスのスケジューリングを開始し、並びに、現在の送信時間間隔ＴＴＩ内のすべての周波数帯域のすべてのサブキャリアにあり、および、非レイテンシセンシティブサービスが要求するエアインタフェースリソースを非レイテンシセンシティブサービスに割り当てる、よう構成されている。
【００９６】
スケジューリングモジュール９２０内のレイテンシセンシティブサービススケジューリングモジュール９２２は、レイテンシセンシティブサービスが要求するリソースエレメントをレイテンシセンシティブサービスに割り当て、および、レイテンシセンシティブサービスのために、非レイテンシセンシティブサービスに既に割り当てられているエアインタフェースリソースを先取りする、よう構成されており、ここで、レイテンシセンシティブサービスは、非レイテンシセンシティブサービスよりも、エアインタフェースリソースの取得に関し高い優先度を有する。換言すると、スケジューリングモジュール９２０によってレイテンシセンシティブサービスに割り当てられるエアインタフェースリソースは、非レイテンシセンシティブサービスに既に割り当てられているエアインタフェースリソースを含む。
【００９７】
また、スケジューリングモジュール９２０による非レイテンシセンシティブサービスのスケジューリングの時間は、レイテンシセンシティブサービスのスケジューリングの時間より前である。すなわち、スケジューリングモジュール９２０は、非レイテンシセンシティブサービスを最初にスケジューリングし、次に、レイテンシセンシティブサービスをスケジューリングする。
【００９８】
一例において、レイテンシセンシティブサービススケジューリングモジュール９２２は、時間領域において、非レイテンシセンシティブサービスに既に割り当てられているエアインタフェースリソースを先取りするようさらに構成されている。
【００９９】
さらに、レイテンシセンシティブサービススケジューリングモジュール９２２は、レイテンシセンシティブサービスのために、ＴＴＩ全体の時間内の一部の周波数帯域の複数のサブキャリアで構成される、および、非レイテンシセンシティブサービスに既に割り当てられているリソースエレメントを、先取りする。詳細については、図５および図６並びに関連する内容の説明を参照されたい。さらに、レイテンシセンシティブサービススケジューリングモジュール９２２が、現在の送信時間間隔ＴＴＩ内の一部の周波数帯域の複数のサブキャリアのリソースエレメントをレイテンシセンシティブサービスに割り当てることは、送信時間間隔ＴＴＩが固定値である事例に適用可能である。
【０１００】
別の例において、レイテンシセンシティブサービススケジューリングモジュール９２２は、レイテンシセンシティブサービスのために、周波数領域において、非レイテンシセンシティブサービスに既に割り当てられているエアインタフェースリソースを先取りするようさらに構成されている。
【０１０１】
さらに、レイテンシセンシティブサービススケジューリングモジュール９２２は、レイテンシセンシティブサービスのために、一部のＴＴＩに該当する複数の直交周波数分割多重ＯＦＤＭシンボルの時間内のすべての周波数帯域のサブキャリアで構成される、および、非レイテンシセンシティブサービスに既に割り当てられているリソースエレメントを先取りするようさらに構成されている。詳細については、図７および関連する内容の説明を参照されたい。
【０１０２】
さらに、レイテンシセンシティブサービススケジューリングモジュール９２２は、一部のＴＴＩ時間に該当する複数のＯＦＤＭシンボルの時間内のすべての周波数帯域の複数のサブキャリアのリソースエレメントをレイテンシセンシティブサービスに割り当てるようさらに構成されていることは、送信時間間隔ＴＴＩが非固定値である事例に適用可能である。
【０１０３】
一例において、レイテンシセンシティブサービススケジューリングモジュール９２２は、エアインタフェースリソースをレイテンシセンシティブサービスに割り当てるとき、アイドルのリソースエレメントを優先的に割り当てる、および、アイドルのリソースエレメントの量がレイテンシセンシティブサービスが要求するリソースエレメントの量を満たすことができない場合、レイテンシセンシティブサービスのために、非レイテンシセンシティブサービスに既に割り当てられているリソースエレメントを先取りする、ようさらに構成されている。
【０１０４】
リソース選択モジュール９２３は、現在のＴＴＩ時間内のすべての周波数帯域のすべてのサブキャリア上のリソースエレメントが最初に非レイテンシセンシティブサービスに割り当てられ、次に、レイテンシセンシティブサービスに割り当てられているかを判定し、および、現在のＴＴＩ時間内のすべての周波数帯域のすべてのサブキャリア上のリソースエレメントが最初に非レイテンシセンシティブサービスに割り当てられ、次にレイテンシセンシティブサービスに割り当てられている場合、通知を送信モジュール９３０に送信する、よう構成されている。
【０１０５】
送信モジュール９３０は、リソース選択モジュール９２３から受信されたメッセージが、現在のリソースエレメントが最初に非レイテンシセンシティブサービスに割り当てられ、次にレイテンシセンシティブサービスに割り当てられているという内容であるとき、レイテンシセンシティブサービスで構成された対応する端末にデータおよび／または制御情報を送信し、非レイテンシセンシティブサービスで構成された端末への情報の送信を停止する、よう構成されている。
【０１０６】
受信モジュール９４０は、レイテンシセンシティブサービスで構成された端末および非レイテンシセンシティブサービスで構成された端末から情報を受信するよう構成されている。情報は、スケジューリングモジュール９２０によって割り当てられたエアインタフェースリソースに基づいて、対応する端末によって送信される。
【０１０７】
上述の内容は、本願の実施形態のデータ送信方法について説明する。当業者は、当該方法の実施形態および各ステップのプロセスは、ハードウェアによって実装されてよいことを認識されたい。当業者は、上述の方法の実施形態に基づき、対応するモジュールおよび変形例を構築してよく、これらのモジュールおよび変形例は、本願の保護範囲に属するものとし、詳細についてはここに記載しない。
【０１０８】
さらに、当業者は、本明細書に開示した実施形態に関し、説明した実施例におけるユニットおよびアルゴリズムのステップは、電子的なハードウェア、コンピュータソフトウェアまたはこれらの組み合わせによって実装されてよいことを認識されたい。ハードウェアおよびソフトウェア間の置換可能性について明確に説明するために、概して上述の内容は、機能に従って各実施例の構成要素およびステップについて説明している。当該機能がハードウェアまたはソフトウェアによって実行されるかどうかは、特定の適用および当該技術的解決手段の設計上の制約条件に依存する。当業者は、異なる方法を用いて、それぞれ特定の適用のために説明した機能を実装できるが、当該実装が本願の範囲を超えるとみなされるべきではない。
【０１０９】
本明細書に開示した実施形態で説明した方法またはアルゴリズムのステップは、ハードウェア、プロセッサにより実行されるソフトウェアモジュール、またはこれらの組み合わせによって実装されてよい。ソフトウェアモジュールは、ランダムアクセスメモリ（ＲＡＭ）、メモリ、リードオンリメモリ（ＲＯＭ）、電気的プログラマブルＲＯＭ、電気的消去可能プログラマブルＲＯＭ、レジスタ、ハードディスク、リムーバブルディスク、ＣＤ‐ＲＯＭ、または当該技術分野で知られる任意の他の形態のストレージ媒体に存在してよい。
【０１１０】
上述した特定の実装において、本願の目的、技術的解決手段および利点は、さらに詳細に説明されている。上述の説明は、本願の特定の実装に過ぎず、本願の保護範囲を限定する意図ではないことを理解されたい。本願の精神および原理から逸脱することなくなされた任意の変形例、均等な置き換え、または改善は、本願の保護範囲に属するものとする。
【図１】
2019522408.tif 000003
【図２】
2019522408.tif 000004
【図３】
2019522408.tif 000005
【図４】
2019522408.tif 000006
【図５】
2019522408.tif 000007
【図６】
2019522408.tif 000008
【図７】
2019522408.tif 000009
【図８】
2019522408.tif 000010
【図９】
2019522408.tif 000011
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
エアインタフェースリソースを非レイテンシセンシティブサービスに割り当てる段階と、
現在の送信時間間隔（ＴＴＩ）内のすべての周波数帯域のサブキャリア上のエアインタフェースリソースをレイテンシセンシティブサービスに割り当て、および、前記レイテンシセンシティブサービスのために、前記非レイテンシセンシティブサービスに既に割り当てられている前記エアインタフェースリソースを先取りする段階と、を備え、
前記レイテンシセンシティブサービスは、前記非レイテンシセンシティブサービスよりも、前記エアインタフェースリソースの取得に関し高い優先度を有する、エアインタフェースリソース割り当て方法。
【請求項２】
前記レイテンシセンシティブサービスのために、前記非レイテンシセンシティブサービスに既に割り当てられている前記エアインタフェースリソースを前記先取りする段階は、具体的に、
前記レイテンシセンシティブサービスのために、時間領域において、前記非レイテンシセンシティブサービスに既に割り当てられている前記エアインタフェースリソースを先取りする段階である、請求項１に記載の方法。
【請求項３】
前記レイテンシセンシティブサービスのために、時間領域において、前記非レイテンシセンシティブサービスに既に割り当てられている前記エアインタフェースリソースを前記先取りする段階は、具体的に、
前記レイテンシセンシティブサービスのために、前記ＴＴＩ全体内の一部の周波数帯域の複数のサブキャリア上の、前記非レイテンシセンシティブサービスに既に割り当てられているリソースエレメントを先取りする段階である、請求項２に記載の方法。
【請求項４】
前記レイテンシセンシティブサービスのために、時間領域において、前記非レイテンシセンシティブサービスに既に割り当てられている前記エアインタフェースリソースを前記先取りする段階は、具体的に、
前記ＴＴＩが固定値の場合、前記レイテンシセンシティブサービスのために、時間領域において、前記非レイテンシセンシティブサービスに既に割り当てられている前記エアインタフェースリソースを先取りする段階である、請求項２に記載の方法。
【請求項５】
前記レイテンシセンシティブサービスのために、前記非レイテンシセンシティブサービスに既に割り当てられている前記エアインタフェースリソースを前記先取りする段階は、具体的に、
前記レイテンシセンシティブサービスのために、周波数領域において、前記非レイテンシセンシティブサービスに既に割り当てられている前記エアインタフェースリソースを先取りする段階である、請求項１に記載の方法。
【請求項６】
前記レイテンシセンシティブサービスのために、周波数領域において、前記非レイテンシセンシティブサービスに既に割り当てられている前記エアインタフェースリソースを前記先取りする段階は、具体的に、
前記レイテンシセンシティブサービスのために、前記ＴＴＩの一部に該当する複数の直交周波数分割多重ＯＦＤＭシンボルの時間内のすべての周波数帯域のサブキャリア上の、前記非レイテンシセンシティブサービスに既に割り当てられているリソースエレメントを先取りする段階である、請求項５に記載の方法。
【請求項７】
前記レイテンシセンシティブサービスのために、周波数領域において、前記非レイテンシセンシティブサービスに既に割り当てられている前記エアインタフェースリソースを前記先取りする段階は、具体的に、
前記ＴＴＩが非固定値の場合、前記レイテンシセンシティブサービスのために、周波数領域において、前記非レイテンシセンシティブサービスに既に割り当てられている前記エアインタフェースリソースを先取りする段階である、請求項５に記載の方法。
【請求項８】
エアインタフェースリソースを非レイテンシセンシティブサービスに前記割り当てる段階の前に、前記方法は、
前記レイテンシセンシティブサービスのために、前記ＴＴＩ内の前記すべての周波数帯域の前記サブキャリア上のエアインタフェースリソースを確保する段階を備え、
エアインタフェースリソースを非レイテンシセンシティブサービスに前記割り当てる段階は、具体的に、前記確保されたエアインタフェースリソースの一部または全部を前記非レイテンシセンシティブサービスに割り当て可能にする段階であり、
エアインタフェースリソースをレイテンシセンシティブサービスに前記割り当てる段階は、具体的に、
前記レイテンシセンシティブサービスのために、前記確保されたエアインタフェースリソース中で、前記非レイテンシセンシティブサービスに既に割り当てられている前記エアインタフェースリソースを先取りする段階である、請求項１から７のいずれか一項に記載の方法。
【請求項９】
エアインタフェースリソースをレイテンシセンシティブサービスに前記割り当てる段階は、具体的に、
前記エアインタフェースリソース中のアイドルのリソースエレメントを優先的に割り当てる段階と、
前記アイドルのリソースエレメントの量が、前記レイテンシセンシティブサービスが要求するリソースエレメントの量を満たすことができない場合、前記レイテンシセンシティブサービスのために、前記非レイテンシセンシティブサービスに既に割り当てられている前記リソースエレメントを先取りする段階と、である、請求項１から８のいずれか一項に記載の方法。
【請求項１０】
エアインタフェースリソースをレイテンシセンシティブサービスに前記割り当てる段階の後に、前記方法は、
前記現在のＴＴＩ時間内の前記すべての周波数帯域の前記サブキャリアのリソースエレメントが最初に前記非レイテンシセンシティブサービスに割り当てられ、次に前記レイテンシセンシティブサービスに割り当てられているかを判定する段階と、
前記現在のＴＴＩ時間内の前記すべての周波数帯域の前記サブキャリアの前記リソースエレメントが最初に前記非レイテンシセンシティブサービスに割り当てられ、次に前記レイテンシセンシティブサービスに割り当てられている場合、前記レイテンシセンシティブサービスに情報を送信し、前記非レイテンシセンシティブサービスへの情報の送信を停止する段階と、を備える、請求項１から９のいずれか一項に記載の方法。
【請求項１１】
エアインタフェースリソースを非レイテンシセンシティブサービスに割り当て、並びに、現在の送信時間間隔（ＴＴＩ）内のすべての周波数帯域のサブキャリア上のエアインタフェースリソースをレイテンシセンシティブサービスに割り当て、および、前記レイテンシセンシティブサービスのために、前記非レイテンシセンシティブサービスに既に割り当てられている前記エアインタフェースリソースを先取りする、よう構成されているプロセッサであって、前記レイテンシセンシティブサービスは、前記非レイテンシセンシティブサービスよりも、前記エアインタフェースリソースの取得に関し高い優先度を有する、プロセッサと、
前記割り当てられたエアインタフェースリソースに基づき、前記レイテンシセンシティブサービスに対応する端末または前記非レイテンシセンシティブサービスに対応する端末に、データおよび／または制御情報を送信するよう構成されている送信機と、を備える、ネットワークデバイス。
【請求項１２】
前記プロセッサが、前記レイテンシセンシティブサービスのために、前記非レイテンシセンシティブサービスに既に割り当てられている前記エアインタフェースリソースを先取りすることは、具体的に、
前記プロセッサが、前記レイテンシセンシティブサービスのために、時間領域において、前記非レイテンシセンシティブサービスに既に割り当てられている前記エアインタフェースリソースを先取りすることである、請求項１１に記載のネットワークデバイス。
【請求項１３】
前記プロセッサが、前記レイテンシセンシティブサービスのために、時間領域において、前記非レイテンシセンシティブサービスに既に割り当てられている前記エアインタフェースリソースを先取りすることは、具体的に、
前記プロセッサが、前記レイテンシセンシティブサービスのために、前記ＴＴＩ全体内の一部の周波数帯域の複数のサブキャリア上の、前記非レイテンシセンシティブサービスに既に割り当てられているリソースエレメントを先取りすることである、請求項１２に記載のネットワークデバイス。
【請求項１４】
前記プロセッサが、前記レイテンシセンシティブサービスのために、前記非レイテンシセンシティブサービスに既に割り当てられている前記エアインタフェースリソースを先取りすることは、具体的に、
前記プロセッサが、前記レイテンシセンシティブサービスのために、周波数領域において、前記非レイテンシセンシティブサービスに既に割り当てられている前記エアインタフェースリソースを先取りすることである、請求項１１に記載のネットワークデバイス。
【請求項１５】
前記プロセッサが、前記レイテンシセンシティブサービスのために、周波数領域において、前記非レイテンシセンシティブサービスに既に割り当てられている前記エアインタフェースリソースを先取りすることは、具体的に、
前記プロセッサが、前記レイテンシセンシティブサービスのために、前記ＴＴＩの一部に該当する複数の直交周波数分割多重ＯＦＤＭシンボルの時間内のすべての周波数帯域のサブキャリア上の、前記非レイテンシセンシティブサービスに既に割り当てられているリソースエレメントを先取りすることである、請求項１４に記載のネットワークデバイス。
【請求項１６】
前記プロセッサは、さらに、
エアインタフェースリソースを非レイテンシセンシティブサービスに前記割り当てる前に、前記レイテンシセンシティブサービスのために、前記ＴＴＩ内の前記すべての周波数帯域の前記サブキャリア上のエアインタフェースリソースを確保する、
前記エアインタフェースリソースを前記非レイテンシセンシティブサービスに割り当てるとき、前記確保されたエアインタフェースリソースの一部または全部を前記非レイテンシセンシティブサービスに割り当て可能にする、および、
前記エアインタフェースリソースを前記レイテンシセンシティブサービスに割り当てるとき、前記レイテンシセンシティブサービスのために、前記確保されたエアインタフェースリソース中で、前記非レイテンシセンシティブサービスに既に割り当てられている前記エアインタフェースリソースを先取りする、よう構成されている、請求項１１から１５のいずれか一項に記載のネットワークデバイス。
【請求項１７】
前記プロセッサは、さらに、
前記エアインタフェースリソースを前記レイテンシセンシティブサービスに割り当てるとき、前記エアインタフェースリソース中のアイドルのリソースエレメントを優先的に割り当てる、および、
前記アイドルのリソースエレメントの量が、前記レイテンシセンシティブサービスが要求するリソースエレメントの量を満たすことができない場合、前記レイテンシセンシティブサービスのために、前記非レイテンシセンシティブサービスに既に割り当てられている前記リソースエレメントを先取りする、よう構成されている、請求項１１から１６のいずれか一項に記載のネットワークデバイス。
【請求項１８】
エアインタフェースリソースを非レイテンシセンシティブサービスに割り当てるよう構成された非レイテンシセンシティブサービスリソース割り当てモジュールと、
現在の送信時間間隔（ＴＴＩ）内のすべての周波数帯域のサブキャリア上のエアインタフェースリソースをレイテンシセンシティブサービスに割り当て、前記レイテンシセンシティブサービスのために、前記非レイテンシセンシティブサービスに既に割り当てられている前記エアインタフェースリソースを先取りする、よう構成されたレイテンシセンシティブサービスリソース割り当てモジュールと、を備え、
前記レイテンシセンシティブサービスは、前記非レイテンシセンシティブサービスよりも、前記エアインタフェースリソースの取得に関し高い優先度を有する、エアインタフェースリソース割り当て装置。
【請求項１９】
前記レイテンシセンシティブサービスリソース割り当てモジュールは、具体的に、
前記レイテンシセンシティブサービスのために、時間領域において、前記非レイテンシセンシティブサービスに既に割り当てられている前記エアインタフェースリソースを先取りするよう構成されている、請求項１８に記載の装置。
【請求項２０】
前記レイテンシセンシティブサービスリソース割り当てモジュールが、前記レイテンシセンシティブサービスのために、時間領域において、前記非レイテンシセンシティブサービスに既に割り当てられている前記エアインタフェースリソースを先取りすることは、具体的に、
前記レイテンシセンシティブサービスリソース割り当てモジュールが、前記レイテンシセンシティブサービスのために、前記ＴＴＩ全体の時間内の一部の周波数帯域の複数のサブキャリア上の、前記非レイテンシセンシティブサービスに既に割り当てられているリソースエレメントを先取りすることである、請求項１９に記載の装置。
【請求項２１】
前記レイテンシセンシティブサービスリソース割り当てモジュールは、具体的に、
前記レイテンシセンシティブサービスのために、周波数領域において、前記非レイテンシセンシティブサービスに既に割り当てられている前記エアインタフェースリソースを先取りするよう構成されている、請求項１８に記載の装置。
【請求項２２】
前記レイテンシセンシティブサービスリソース割り当てモジュールが、前記レイテンシセンシティブサービスのために、周波数領域において、前記非レイテンシセンシティブサービスに既に割り当てられている前記エアインタフェースリソースを先取りすることは、具体的に、
前記レイテンシセンシティブサービスリソース割り当てモジュールが、前記レイテンシセンシティブサービスのために、前記ＴＴＩの一部に該当する複数の直交周波数分割多重ＯＦＤＭシンボルの時間内のすべての周波数帯域のサブキャリア上の、前記非レイテンシセンシティブサービスに既に割り当てられているリソースエレメントを先取りすることである、請求項２１に記載の装置。
【請求項２３】
コンピュータに、請求項１から１０のいずれか一項に記載の方法を実行させるためのプログラム。
【手続補正２】
【補正対象書類名】明細書
【補正対象項目名】全文
【補正方法】変更
【補正の内容】
【発明の詳細な説明】
【技術分野】
【０００１】
本願は、通信技術の分野、具体的には、エアインタフェースリソース割り当てに関する。
【背景技術】
【０００２】
エンハンスドモバイルブロードバンド（Ｅｎｈａｎｃｅｄ  Ｍｏｂｉｌｅ  Ｂｒｏａｄｂａｎｄ，  ｅＭＢＢ）および超高信頼／低レイテンシマシンタイプ通信（Ｕｌｔｒａ−ｒｅｌｉａｂｌｅ  ａｎｄ  ｌｏｗ  ｌａｔｅｎｃｙ  Ｍａｃｈｉｎｅ  Ｔｙｐｅ  Ｃｏｍｍｕｎｉｃａｔｉｏｎｓ，  ｕＭＴＣ）は、国際電気通信連合（英語でＩｎｔｅｒｎａｔｉｏｎａｌ  Ｔｅｌｅｃｏｍｍｕｎｉｃａｔｉｏｎ  Ｕｎｉｏｎ，略してＩＴＵ）で定義される５世代モバイル通信技術（英語で５ｔｈ  Ｇｅｎｅｒａｔｉｏｎ，略して５Ｇ）における２つの主要なサービスタイプである。
【０００３】
ｅＭＢＢサービスとは、既存のモバイルサービスシナリオを基に、ユーザエクスペリエンス等の性能をさらに向上させるサービスである。ｅＭＢＢサービスは、より高いデータレート、および、より大きなモバイル帯域幅を予期している。先行技術と比較すると、ｅＭＢＢサービスはユーザデータレートを大きく向上させる。また、ｅＭＢＢサービスはさらに、高いスペクトル効率を有する。従って、ｅＭＢＢ端末をスケジューリングすると、比較的大量の演算が生じ、時間がかかる。さらに、ｅＭＢＢサービスは非レイテンシセンシティブサービスであり、レイテンシに対する要求は低い。通常、レイテンシは１０ミリ秒を超えてよい。
【０００４】
ｕＭＴＣサービスは、ウルトラ低レイテンシを要求する。従って、ｕＭＴＣ端末のスケジューリングは、より短い時間を消費する。通常、ｕＭＴＣスケジューリングの開始は、ｅＭＢＢスケジューリングの開始より後である。ｕＭＴＣサービスは、主に工業製造プロセスにおける無線制御を含む、例えば、遠隔治療手術、ディストリビューションオートメーションおよび交通安全といった、モノのインターネットでのモノ対モノ通信に主に適用される。ｕＭＴＣサービスは、より低レイテンシを予期し、通常１ミリ秒未満のレイテンシを必要とする。バーストデータ送信のためのｕＭＴＣサービスのレイテンシ要件を満たすには、ｕＭＴＣサービスが送信されるべきデータを有する場合、大量のエアインタフェースリソースがｕＭＴＣサービスに割り当てられる必要があり、かつ、ｕＭＴＣサービスは優先的にエアインタフェースリソースを使用する必要があり、ｕＭＴＣサービスのデータおよび制御情報のタイムリーかつ正確な送信を保証する。
【０００５】
ｕＭＴＣサービスは、ｅＭＢＢサービスよりも、アクティブ化される可能性または頻度が比較的低い。従って、ｕＭＴＣサービスの高信頼性を保証すべく、ｕＭＴＣサービスに大量のエアインタフェースリソースが確保される場合、確保されたエアインタフェースリソースは、多くの時間アイドル状態にある。これは、エアインタフェースリソースの効率を下げ、リソースの無駄を生じさせる。しかしながら、ｕＭＴＣサービスに対しエアインタフェースリソースが確保されない場合、ｕＭＴＣサービスのデータおよび制御情報のタイムリーかつ正確な送信は保証できない。
【発明の概要】
【０００６】
本願は、レイテンシセンシティブサービスのデータおよび制御情報のタイムリーかつ正確な送信を保証するためのエアインタフェースリソース割り当て方法およびネットワークデバイスを提供する。
【０００７】
一態様によると、本願は、エアインタフェースリソース割り当て方法を提供する。当該方法は、エアインタフェースを非レイテンシセンシティブサービスに割り当てる段階と、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りする段階と、を備え、レイテンシセンシティブサービスは、非レイテンシセンシティブサービスよりも、エアインタフェースリソースの取得に関し高い優先度を有する、エアインタフェースリソース割り当て方法である。
【０００８】
本願の本実施形態において、非レイテンシセンシティブサービスに既に割り当てられているエアインタフェースリソースは、レイテンシセンシティブサービスのために先取りされ、これにより、後からスケジューリングされるレイテンシセンシティブサービスのタイムリーかつ正確な送信を保証する。また、非レイテンシセンシティブサービスが要求するリソースエレメントの量が、要求に基づき非レイテンシセンシティブサービスに割り当て可能であり、これにより、リソースの無駄が回避され、エアインタフェースリソースが節約される。
【０００９】
別の態様によると、本願の一実施形態はネットワークデバイスを提供する。ネットワークデバイスは、プロセッサおよび送信機を含む。プロセッサは、エアインタフェースリソースを非レイテンシセンシティブサービスに割り当て、並びに、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りするよう構成されている。レイテンシセンシティブサービスは、非レイテンシセンシティブサービスよりも、エアインタフェースリソースの取得に関し高い優先度を有する。送信機は、割り当てられたエアインタフェースリソースに基づき、レイテンシセンシティブサービスに対応する端末または非レイテンシセンシティブサービスに対応する端末に、データおよび／または制御情報を送信するよう構成されている。
【００１０】
別の態様によると、本願の一実施形態は、エアインタフェースリソース割り当て装置を提供する。装置は、非レイテンシセンシティブサービスリソース割り当てモジュールおよびレイテンシセンシティブサービスリソース割り当てモジュールを含む。非レイテンシセンシティブサービスリソース割り当てモジュールは、エアインタフェースリソースを非レイテンシセンシティブサービスに割り当てるよう構成されている。レイテンシセンシティブサービスリソース割り当てモジュールは、現在の送信時間間隔ＴＴＩ内のすべての周波数帯域のサブキャリア上のエアインタフェースリソースをレイテンシセンシティブサービスに割り当て、および、レイテンシセンシティブサービスのために、非レイテンシセンシティブサービスに既に割り当てられているエアインタフェースリソースを先取りするよう構成されている。レイテンシセンシティブサービスは、非レイテンシセンシティブサービスよりも、エアインタフェースリソースの取得に関し高い優先度を有する。
【００１１】
本願の一設計において、ネットワークデバイスは基地局またはリモート無線ユニットである。
【００１２】
本願の一設計において、レイテンシセンシティブサービスに割り当てられたエアインタフェースリソースは、非レイテンシセンシティブサービスに既に割り当てられているエアインタフェースリソースを含む。
【００１３】
本願の一設計において、レイテンシセンシティブサービスのために、非レイテンシセンシティブサービスに既に割り当てられているエアインタフェースリソースを先取りすることは、具体的に、レイテンシセンシティブサービスのために、時間領域において、非レイテンシセンシティブサービスに既に割り当てられているエアインタフェースリソースを先取りすることである。
【００１４】
本願の一設計において、レイテンシセンシティブサービスのために、時間領域において、非レイテンシセンシティブサービスに既に割り当てられているエアインタフェースリソースを先取りすることは、具体的に、レイテンシセンシティブサービスのために、ＴＴＩ全体内の一部の周波数帯域の複数のサブキャリア上の、非レイテンシセンシティブサービスに既に割り当てられているリソースエレメントを先取りすることである。
【００１５】
本願の一設計において、レイテンシセンシティブサービスのために、時間領域において、非レイテンシセンシティブサービスに既に割り当てられているエアインタフェースリソースを先取りすることは、具体的に、ＴＴＩが固定値の場合、レイテンシセンシティブサービスのために、時間領域において、非レイテンシセンシティブサービスに既に割り当てられているエアインタフェースリソースを先取りすることである。
【００１６】
本願の一設計において、レイテンシセンシティブサービスのために、非レイテンシセンシティブサービスに既に割り当てられているエアインタフェースリソースを先取りすることは、具体的に、レイテンシセンシティブサービスのために、周波数領域において、非レイテンシセンシティブサービスに既に割り当てられているエアインタフェースリソースを先取りすることである。
【００１７】
本願の一設計において、レイテンシセンシティブサービスのために、周波数領域において、非レイテンシセンシティブサービスに既に割り当てられているエアインタフェースリソースを先取りすることは、具体的に、レイテンシセンシティブサービスのために、一部のＴＴＩに該当する複数の直交周波数分割多重ＯＦＤＭシンボルの時間内のすべての周波数帯域のサブキャリア上の、非レイテンシセンシティブサービスに既に割り当てられているリソースエレメントを先取りすることである。
【００１８】
本願の一設計において、レイテンシセンシティブサービスのために、周波数領域において、非レイテンシセンシティブサービスに既に割り当てられているエアインタフェースリソースを先取りすることは、具体的に、ＴＴＩが非固定値の場合、レイテンシセンシティブサービスのために、周波数領域において、非レイテンシセンシティブサービスに既に割り当てられているエアインタフェースリソースを先取りすることである。
【００１９】
本願の一設計において、エアインタフェースリソースを非レイテンシセンシティブサービスに割り当てる段階の前に、方法は、レイテンシセンシティブサービスのために、ＴＴＩ内のすべての周波数帯域のサブキャリア上のエアインタフェースリソースを確保する段階を備え、エアインタフェースリソースを非レイテンシセンシティブサービスに割り当てる段階は、具体的に、確保されたエアインタフェースリソースの一部または全部を非レイテンシセンシティブサービスに割り当て可能にする段階であり、エアインタフェースリソースをレイテンシセンシティブサービスに割り当てる段階は、具体的に、レイテンシセンシティブサービスのために、確保されたエアインタフェースリソース中で、非レイテンシセンシティブサービスに既に割り当てられているエアインタフェースリソースを先取りする段階である。
【００２０】
本願の一設計において、エアインタフェースリソースをレイテンシセンシティブサービスに割り当てる段階は、具体的に、エアインタフェースリソース中のアイドルのリソースエレメントを優先的に割り当てる段階と、アイドルのリソースエレメントの量が、レイテンシセンシティブサービスが要求するリソースエレメントの量を満たすことができない場合、レイテンシセンシティブサービスのために、非レイテンシセンシティブサービスに既に割り当てられているリソースエレメントを先取りする段階と、である。
【００２１】
本願の一設計において、エアインタフェースリソースをレイテンシセンシティブサービスに割り当てる段階の後に、方法は、現在のＴＴＩ時間内のすべての周波数帯域のサブキャリアのリソースエレメントが最初に非レイテンシセンシティブサービスに割り当てられ、次にレイテンシセンシティブサービスに割り当てられているかを判定する段階と、現在のＴＴＩ時間内のすべての周波数帯域のサブキャリアのリソースエレメントが最初に非レイテンシセンシティブサービスに割り当てられ、次にレイテンシセンシティブサービスに割り当てられている場合、レイテンシセンシティブサービスに情報を送信し、非レイテンシセンシティブサービスへの情報の送信を停止する段階と、を備える。
【００２２】
本願の実施形態において、レイテンシセンシティブサービスにエアインタフェースリソースを割り当てる優先度は、非レイテンシセンシティブサービスにエアインタフェースリソースを割り当てる優先度よりも高く、および、非レイテンシセンシティブサービスに既に割り当てられたエアインタフェースリソースは、レイテンシセンシティブサービスのために先取りされる。これにより、エアインタフェースリソースが、非レイテンシセンシティブサービスに最初に割り当てられる必要があり、次にエアインタフェースリソースがレイテンシセンシティブサービスに割り当てられ、エアインタフェースリソースが後で割り当てられるレイテンシセンシティブサービスが、十分な量のエアインタフェースリソースを要求する場合に生じるエアインタフェースリソース割り当ての課題を解決する。本願の実施形態におけるエアインタフェースリソース割り当て方法は、リソースの無駄を回避し、レイテンシセンシティブサービスのデータおよび制御情報のタイムリーかつ正確な送信を保証する。
【図面の簡単な説明】
【００２３】
【図１】エアインタフェースリソースの模式図である。
【００２４】
【図２】ネットワークデバイス、ｅＭＢＢ端末およびｕＭＴＣ端末が配置された通信システムの概略的アーキテクチャ図である。
【００２５】
【図３】ネットワークデバイスが、ｅＭＢＢ端末のスケジューリングおよびｕＭＴＣ端末のスケジューリングを開始し、データの送信を開始する時間領域の模式図である。
【００２６】
【図４】本願の一実施形態による、エアインタフェースリソース割り当て方法のフローチャートである。
【００２７】
【図５】本願の一実施形態による、エアインタフェースリソースが確保され、時間領域においてリソースが先取りされる、リソース割り当ての模式図である。
【００２８】
【図６】本願の一実施形態による、エアインタフェースリソースが確保されず、時間領域においてリソースが先取りされる、リソース割り当ての模式図である。
【００２９】
【図７】本願の一実施形態による、エアインタフェースリソースが確保されず、周波数領域においてリソースが先取りされる、リソース割り当ての模式図である。
【００３０】
【図８】本願の一実施形態による、ネットワークデバイスの模式図である。
【００３１】
【図９】本願の一実施形態による、エアインタフェースリソース割り当て装置の模式図である。
【発明を実施するための形態】
【００３２】
本発明の実施形態に係る目的、技術的解決手段および利点をより明確にするために、以下に、本発明の実施形態の添付図面を参照しつつ、本発明の実施形態の技術的解決手段について明確かつ完全に説明する。説明する実施形態は、本発明の実施形態のすべてではなく一部であることは明らかである。創造的な取り組みなしに、本発明の実施形態に基づき当業者に得られたすべての他の実施形態は、本発明の保護範囲に属する。
【００３３】
以下、本願のエアインタフェースリソースについて最初に簡単に説明する。
【００３４】
マルチキャリア無線通信システムでは、エアインタフェースリソースは、エアインタフェースの時間領域リソースおよび周波数領域リソースとして定義される。エアインタフェースとは、端末と、基地局またはリモート無線ユニット（英語でＲｅｍｏｔｅ  Ｒａｄｉｏ  Ｕｎｉｔ，略してＲＲＵ）等のネットワークデバイスとの間の無線インタフェースであり、および、無線通信における端末間の無線インタフェースである。エアインタフェースリソースは、時間領域および周波数領域に分割されてよい。例えば、時間領域におけるエアインタフェースリソースは、直交周波数分割多重（英語でＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ，略してＯＦＤＭ）シンボルとして表され、周波数領域におけるエアインタフェースリソースはサブキャリア（英語：ｓｕｂｃａｒｒｉｅｒ）として表される。これは、本発明における限定ではない。
【００３５】
図１に示すように、エアインタフェースリソースは、通常、リソースエレメント（英語でｒｅｓｏｕｒｃｅ  ｅｌｅｍｅｎｔ，略してＲＥ）、リソースブロック（英語でＲｅｓｏｕｒｃｅ  Ｂｌｏｃｋ，略してＲＢ）、ＯＦＤＭシンボル、サブキャリアおよび送信時間間隔（英語でｔｒａｎｓｍｉｓｓｉｏｎ  ｔｉｍｅ  ｉｎｔｅｒｖａｌ，略してＴＴＩ）で表される。
【００３６】
図１中、リソースエレメントＲＥは小さい矩形で表される。１つのＲＥは、１つのＯＦＤＭシンボルの時間内のサブキャリアリソースを表わす。換言すると、各ＲＥは時間領域では１つのＯＦＤＭシンボルで表され、周波数領域では１つのサブキャリアで表される。送信時間間隔ＴＴＩは通常、時間領域におけるサブフレームであり、時間において連続的である複数の（例えば、ｎ個）ＯＦＤＭシンボルを含む。１ＴＴＩにつき一回、スケジューリングおよびリソース割り当てが実行される。リソースブロックＲＢは、１つのＴＴＩの複数の（例えば、ｍ個）サブキャリアを含む。
【００３７】
以下、本願におけるネットワークデバイス、レイテンシセンシティブサービスで構成された端末、および非レイテンシセンシティブサービスで構成された端末を含む通信システムのアーキテクチャについて説明を続ける。
【００３８】
図２中、マルチキャリア無線通信システムにおいて、例えば、ｕＭＴＣ端末のようなレイテンシセンシティブサービス端末、および、例えば、ｅＭＢＢ端末のような非レイテンシセンシティブサービス端末が１つの同一のセル内に共存している。基地局ｅＮｏｄｅＢまたはリモート無線ユニットＲＲＵ等のネットワークデバイスは、ｕＭＴＣ端末およびｅＭＢＢ端末へのエアインタフェースリソースのスケジューリング並びに割り当てを開始し、対応する端末デバイスに、ダウンリンクデータおよび制御情報を、割り当てられたエアインタフェースリソースを使用して送信する。制御情報は、対応する端末デバイスによって、データの送信のために要求される、および、例えば、基地局のようなネットワークデバイスによって対応する端末デバイスに割り当てられる、エアインタフェースリソースの割り当て状態を含む。換言すると、制御情報は、対応する端末のエアインタフェースリソース割り当てを含む。
【００３９】
エアインタフェースリソース割り当てはまた、無線リソース割り当てである。本願の実施形態におけるエアインタフェースリソース割り当ては、同一のエリア（例えば、同一のセル）におけるネットワークデバイス並びにｅＭＢＢ端末およびｕＭＴＣ端末等の異なるサービス端末への複数のリソースエレメントＲＥの割り当てであり、その結果、データおよび制御情報が、割り当てられたリソースエレメントＲＥに基づいて送信され、ネットワークデバイスは、１ＴＴＩにつき一回、各端末にスケジューリングおよびエアインタフェースリソース割り当てを実行する。
【００４０】
ｅＭＢＢ端末またはｕＭＴＣ端末等の端末デバイスは、ダウンリンクデータおよび制御情報を基地局等のネットワークデバイスから受信する。端末デバイスは、受信した制御情報に基づき、アップリンクデータの送信のために端末デバイスによって要求される、および、ネットワークデバイスによって割り当てられる、エアインタフェースリソースを取得する。すなわち、端末デバイスは、ネットワークデバイスによって割り当てられたエアインタフェースリソースに基づき、アップリンクデータを送信する。
【００４１】
本願の実施形態におけるネットワークデバイスは、基地局、ＲＲＵ等を含む。端末デバイスは、例えば、ｕＭＴＣ端末のようなレイテンシセンシティブサービス端末、および、例えば、ｅＭＢＢ端末のような非レイテンシセンシティブサービス端末を含む。本願の実施形態において、レイテンシセンシティブサービス端末はｕＭＴＣ端末に限定されず、非レイテンシセンシティブサービス端末はｅＭＢＢ端末に限定されない。例えば、非レイテンシセンシティブサービス端末は、代替的にｍＭＴＣ（Ｍａｓｓｉｖｅ  ｍａｃｈｉｎｅ  ｔｙｐｅ  ｃｏｍｍｕｎｉｃａｔｉｏｎｓ，大量のマシンタイプ通信）端末であってよい。以下、レイテンシセンシティブサービス端末がｕＭＴＣ端末であり、非レイテンシセンシティブサービス端末がｅＭＢＢ端末であり、ネットワークデバイスが基地局である一例を用い、ネットワークデバイスが、エアインタフェースリソースを非レイテンシセンシティブサービス端末およびレイテンシセンシティブサービス端末に割り当てる方法について説明する。
【００４２】
図３に示すように、基地局がｅＭＢＢ端末のスケジューリングを開始する時間は、ｕＭＴＣ端末のスケジューリングを開始する時間より前である。すなわち、Ｔ２はＴ１より前であり、Ｔ１はＴ０より前である。時間Ｔ２で、基地局はｅＭＢＢ端末のスケジューリングを開始し、ｅＭＢＢ端末にエアインタフェースリソースを割り当てる。時間Ｔ１で、基地局は、ｕＭＴＣ端末のスケジューリングを開始し、ｕＭＴＣ端末にエアインタフェースリソースを割り当てる。時間Ｔ０で、基地局は、割り当てられたエアインタフェースリソースを使用して、データおよび制御情報を送信する。
【００４３】
基地局は、基地局とｕＭＴＣ端末との間での情報のタイムリーかつ正確な送信を保証すべく、ｕＭＴＣ端末のスケジューリングを後の時間で開始するが、ｕＭＴＣ端末はレイテンシセンシティブサービス端末であるので、基地局は、基地局とｕＭＴＣ端末との間の情報送信のために、十分なエアインタフェースリソースを割り当てる必要がある。しかしながら、スペクトル効率および無線通信システムのスループットを向上させるべく、基地局とｅＭＢＢ端末との間の情報送信については、エアインタフェースリソースは可能な限り効率的に用いられる必要がある。単にｕＭＴＣサービスのためにエアインタフェースリソースを確保し、確保されたエアインタフェースリソースをｅＭＢＢサービスに使用可能にしないことにより、過度のエアインタフェースリソースの無駄を生じさせる。これは、ｕＭＴＣ端末がアクティブ化されている可能性が比較的低いからである。エアインタフェースリソースがｕＭＴＣサービスのために確保され、確保されたエアインタフェースリソースがｅＭＢＢサービスによって使用できない場合に、確保されたエアインタフェースリソースが多くの時間においてアイドル状態であると、結果的に、エアインタフェースリソースの利用率を過度に低いものとし、過度のエアインタフェースリソースの無駄を生じさせる。
【００４４】
本願の本実施形態において、エアインタフェースリソースが最初にｅＭＢＢサービスに割り当てられ、次にエアインタフェースリソースがｕＭＴＣサービスに割り当てられ、ｕＭＴＣサービスに割り当てられるエアインタフェースリソースの優先度は、ｅＭＢＢサービスに割り当てられるエアインタフェースリソースの優先度より高い。換言すると、本願の本実施形態において、情報送信のために十分なエアインタフェースリソースが最初にｅＭＢＢサービスに割り当てられ、次に、エアインタフェースリソースがｕＭＴＣサービスに割り当てられる。ｕＭＴＣサービスのためにエアインタフェースリソース割り当てが実行されるとき、十分なエアインタフェースリソースがｕＭＴＣサービスに割り当てられ得ることを保証すべく、ｅＭＢＢサービスに既に割り当てられているエアインタフェースリソースは、ｕＭＴＣサービスのために先取りされてよい。
【００４５】
エアインタフェースリソースをｅＭＢＢサービスに割り当てることは、ｅＭＢＢ端末とネットワークデバイスとの間での情報送信のためにエアインタフェースリソースを割り当てることを意味する。同様に、エアインタフェースリソースをｕＭＴＣサービスに割り当てることは、ｕＭＴＣ端末とネットワークデバイスとの間での情報送信のためにエアインタフェースリソースを割り当てることを意味する。
【００４６】
以下、図４および図５〜７を参照し、基地局がエアインタフェースリソースをレイテンシセンシティブサービスおよび非レイテンシセンシティブサービスに割り当てる方法について説明する。
【００４７】
通常、基地局は、複数のｕＭＴＣ端末および複数のｅＭＢＢ端末と情報を交換し、並びに、複数のｕＭＴＣ端末および複数のｅＭＢＢ端末に対し、エアインタフェースリソースを割り当てる必要がある。以下、ネットワークデバイスが、１つのｕＭＴＣ端末および２つのｅＭＢＢ端末、すなわち、ｅＭＢＢ端末１およびｅＭＢＢ端末２と情報を交換し、並びに、当該端末に対し、エアインタフェースリソースを割り当てる一例を用いて、ネットワークデバイスが、エアインタフェースリソースをレイテンシセンシティブサービスおよび非レイテンシセンシティブサービスに割り当てる方法について説明する。
【００４８】
ステップ４１０：基地局は、例えば、ｕＭＴＣサービスのようなレイテンシセンシティブサービスのためにエアインタフェースリソースを確保する。ここで確保されたエアインタフェースリソースは、また、例えば、ｅＭＢＢサービスのような非レイテンシセンシティブサービスにも割り当てられてよく、基地局は、確保されていないエアインタフェースリソースを非レイテンシセンシティブサービスに優先的に割り当てる。
【００４９】
換言すると、ｕＭＴＣサービスに割り当てられる前に、確保されたエアインタフェースリソースはｅＭＢＢサービスに割り当てられてよく、ｕＭＴＣサービスは、ｅＭＢＢサービスよりも、確保されたエアインタフェースリソースの割り当てに関し、高い優先度を有する。すなわち、確保されたエアインタフェースリソースについて、ｕＭＴＣサービスの使用優先度は、ｅＭＢＢサービスの使用優先度より高い。また、基地局は、確保されていないエアインタフェースリソースを非レイテンシセンシティブサービスに優先的に割り当てる。基地局は、確保されたエアインタフェースリソースをｅＭＢＢサービスに割り当ててよく、ｕＭＴＣサービスが確保されたエアインタフェースリソースの一部または全部を要求すると、基地局は確保されたエアインタフェースリソースの一部または全部をｕＭＴＣサービスに割り当てる。
【００５０】
一例において、基地局は、ｕＭＴＣサービスのために、時間領域において、ｅＭＢＢサービスに既に割り当てられているエアインタフェースリソースを先取りする。
【００５１】
さらに、基地局は、ｕＭＴＣサービスのために、現在の送信時間間隔ＴＴＩ全体内で、一部の周波数帯域の複数のサブキャリアからなり、および、ｅＭＢＢサービスに既に割り当てられているリソースエレメントを先取りする。詳細は、図５を参照されたい。
【００５２】
別の例において、基地局は、ｕＭＴＣサービスのために、周波数領域において、ｅＭＢＢサービスに既に割り当てられているエアインタフェースリソースを先取りする。
【００５３】
さらに、基地局は、ｕＭＴＣサービスのために、一部のＴＴＩ内の、複数の直交周波数分割多重ＯＦＤＭシンボルの時間内のすべての周波数帯域のすべてのサブキャリア上にあり、および、ｅＭＢＢサービスに既に割り当てられているリソースエレメントを先取りする。詳細は、図７を参照されたい。
【００５４】
図５中、横座標は時間領域を表わし、縦座標は周波数領域を表わす。図５中の１ブロックは、複数のリソースブロックＲＢ、すなわち、複数のリソースエレメントＲＥを含むエアインタフェースリソースを示す。図５中の最大のブロックは、横方向にＴＴＩ全体、すなわち、送信時間間隔を表わし、縦方向にすべての周波数帯域のすべてのサブキャリアを表わす。別のブロックは、横方向に１つのＴＴＩの時間を表わし、縦方向に、一部の周波数帯域の複数のサブキャリアを表わす。
【００５５】
ステップ４２０：図５中、時間Ｔ２で、基地局は、ｅＭＢＢサービス１およびｅＭＢＢサービス２のためにスケジューリングを開始し、基地局とｅＭＢＢ端末１との間の情報の交換のためにｅＭＢＢ端末１が要求するエアインタフェースリソースを割り当て、および、基地局とｅＭＢＢ端末２との間の情報の交換のために基地局とｅＭＢＢ端末２とが要求するエアインタフェースリソースを割り当てる。ここで、時間Ｔ２はＴ１より前であり、時間Ｔ１は時間Ｔ０より前である。
【００５６】
一例において、基地局によってｅＭＢＢサービスに割り当てられたエアインタフェースリソースは、ｕＭＴＣサービスのために確保されたエアインタフェースリソースを含む。
【００５７】
図５に示すように、基地局によってｅＭＢＢサービス１およびｅＭＢＢサービス２に割り当てられたエアインタフェースリソースは、ＴＴＩ全体内のすべての周波数帯域のすべてのサブキャリア上のエアインタフェースリソースである。
【００５８】
さらに、基地局は、確保されていないエアインタフェースリソースをｅＭＢＢサービス１およびｅＭＢＢサービス２に優先的に割り当てる。確保されていないリソースエレメントの量が、ｅＭＢＢサービス１およびｅＭＢＢサービス２が要求するリソースエレメントの量を満たすことができない場合、実際の要求に基づき、確保されたエアインタフェースリソースの一部または全部がｅＭＢＢサービス２に割り当てられる。
【００５９】
ステップ４３０：時間Ｔ１で、基地局は、ｕＭＴＣサービスのスケジューリングを開始し、エアインタフェースリソースをｕＭＴＣサービスに割り当てる。ここで、ｕＭＴＣサービスに割り当てられるエアインタフェースリソースは、ｅＭＢＢ端末に既に割り当てられたエアインタフェースリソースを含んでよい。
【００６０】
さらに、基地局が、エアインタフェースリソースをｕＭＴＣサービスに割り当てるとき、アイドルの確保されたエアインタフェースリソースを優先的に割り当てる。アイドルの確保されたリソースエレメントの量が、ｕＭＴＣサービスが要求するリソースエレメントの量を満たすことができない場合、基地局は、ｕＭＴＣサービスのために、ｕＭＴＣサービスの要求に基づき、ｅＭＢＢサービス２に既に割り当てられている確保されたリソースエレメントを先取りする。
【００６１】
ｕＭＴＣサービスが要求するリソースエレメントの量がアイドルの確保されたリソースエレメントの量を超えている場合は、基地局は、ｕＭＴＣサービスのために、時間領域において、ｅＭＢＢサービス２に既に割り当てられているリソースエレメントを先取りし、当該先取りされたリソースエレメントは、ＴＴＩ全体の時間内の一部の周波数帯域の複数のサブキャリアで構成されるリソースエレメントであることがわかる。換言すると、基地局がｕＭＴＣサービスに割り当てたリソースエレメントは、時間領域においては、ＴＴＩ全体の時間内のＯＦＤＭシンボルを含み、および、周波数領域においては、一部の周波数帯域の複数のサブキャリアを含む。
【００６２】
ｕＭＴＣサービスのために、ＴＴＩ全体内の一部の周波数帯域の複数のサブキャリアのリソースエレメントを先取りすることは、固定の送信時間間隔ＴＴＩの事例に適用可能である。すなわち、ＴＴＩが固定値の事例に適用可能であることに留意されたい。
【００６３】
結論として、ＴＴＩ全体の時間内のすべての周波数帯域のすべてのサブキャリア上で、基地局は、ｕＭＴＣサービスのためにエアインタフェースリソースを確保してよい。ｅＭＢＢサービスにエアインタフェースリソースを割り当てるとき、基地局は確保されたエアインタフェースリソースの一部または全部をｅＭＢＢサービス、例えば、ｅＭＢＢサービス２に割り当てることが可能である。エアインタフェースリソースをｕＭＴＣサービスに割り当てるとき、基地局はｕＭＴＣサービスのために、確保されたエアインタフェースリソース中で、ｅＭＢＢサービスに既に割り当てられているエアインタフェースリソースを先取りする。
【００６４】
本願の別の実施形態において、代替的に、ネットワークデバイスは、ｕＭＴＣサービスのためにエアインタフェースリソースを確保しなくてもよく、すなわち、上述のステップ４１０から４３０を実行しなくてもよい。詳細については、図６を参照されたい。
【００６５】
図６は、本願の一実施形態による、エアインタフェースリソースが確保されず、時間領域においてリソースが先取りされる、リソース割り当ての模式図である。
【００６６】
図６中、基地局は、ｕＭＴＣサービスのために、エアインタフェースリソースを確保しない。ｅＭＢＢサービスおよびｕＭＴＣサービスの両方は、ＴＴＩ全体内のすべての周波数帯域のすべてのサブキャリア上のエアインタフェースリソースを取得してよく、基地局はまずエアインタフェースリソースをｅＭＢＢサービスに割り当てる。エアインタフェースリソース後で割り当てられるｕＭＴＣサービスが、すべての周波数帯域のすべてのサブキャリア上のエアインタフェースリソースを取得するより高い優先度を有している。換言すると、基地局は、ＴＴＩ全体の時間内のすべての周波数帯域のすべてのサブキャリア上のエアインタフェースリソースをｅＭＢＢサービスに割り当ててよく、基地局がエアインタフェースリソースをｕＭＴＣサービスに割り当てるとき、基地局は、ｕＭＴＣサービスのために、ｕＭＴＣサービスの実際の要求に基づいて、ｅＭＢＢサービスに既に割り当てられているエアインタフェースリソースを先取りしてよい。
【００６７】
具体的には、時間Ｔ２で、基地局は、ｅＭＢＢサービス１およびｅＭＢＢサービス２に、ＴＴＩ全体の時間内のすべての周波数帯域のすべてのサブキャリア上にあり、かつ、ｅＭＢＢサービス１およびｅＭＢＢサービス２が要求するエアインタフェースリソースを割り当てる。時間Ｔ１で、基地局は、ｕＭＴＣサービスにエアインタフェースリソースを割り当てる。現在アイドルのリソースエレメントの量が、ｕＭＴＣサービスが要求するリソースエレメントの量を満たさない場合、基地局は、ｕＭＴＣサービスのために、ｕＭＴＣサービスが要求するリソースエレメントの量を満たすべく、ｅＭＢＢサービス２に既に割り当てられているリソースエレメントを先取りする。
【００６８】
図６に示すように、基地局は、ｕＭＴＣサービスのために、時間領域において、現在のＴＴＩ全体の時間内の一部の周波数帯域の複数のサブキャリアのリソースエレメントを先取りする。図６から、基地局が、時間領域においてリソースエレメントを優先的に先取りし、基地局は、時間領域においては、ＴＴＩ全体の時間内のすべてのリソースを先取りするが、周波数領域においては、一部の周波数帯域のリソースのみを先取りすることがわかる。
【００６９】
また、基地局は、周波数領域においてリソースを優先的に先取りしてもよい。換言すると、基地局は、図７に示すように、周波数領域において、すべての周波数帯域のすべての先取り可能なサブキャリアを先取りし、時間領域においては、当該ＴＴＩの一部内の複数のＯＦＤＭシンボルを先取りしてよい。先取り可能なサブキャリアは、基地局がｕＭＴＣサービスのために先取り可能な構成されたサブキャリアリソースである。
【００７０】
図７は、一例として、リソースエレメントの不確保を用い、基地局がｕＭＴＣサービスのために、周波数領域において優先的に、エアインタフェースリソースを先取りする方法を示す。
【００７１】
図７に示すように、ｕＭＴＣサービスが要求するリソースエレメントの量が、アイドルのリソースエレメントの量を超えている場合、基地局は、ｕＭＴＣサービスのために、ｅＭＢＢサービス２に既に割り当てられているエアインタフェースリソースを先取りする。先取りされたエアインタフェースリソースは、一部のＴＴＩに該当する複数のＯＦＤＭシンボルの時間内のすべての周波数帯域のすべてのサブキャリア上のリソースエレメントである。換言すると、基地局がｕＭＴＣサービスに割り当てたエアインタフェースリソースは、時間領域においては、一部のＴＴＩの時間内の複数のＯＦＤＭシンボルを含み、および、周波数領域においては、全周波数帯域の複数のサブキャリアを含む。本解決手段は、非固定の送信時間間隔ＴＴＩの事例に大半が適用可能であり、すなわち、ＴＴＩが可変値である事例に大半が適用可能である。
【００７２】
また、基地局がｕＭＴＣサービスのために、周波数領域において、エアインタフェースリソースを先取りし、ｕＭＴＣサービスのために、エアインタフェースリソースを確保しなくてよい事例の詳細については、図６および関連する内容の説明を参照されたく、詳細についてここで再び説明はしない。
【００７３】
ステップ４４０：時間Ｔ０で、基地局は、ｕＭＴＣサービスおよびｅＭＢＢサービスに割り当てられたエアインタフェースリソースに基づき、端末に送信される必要のあるデータおよび／または制御情報に対し、パケットアセンブリ、符号化、変調等を含む処理を実行し、処理されたデータおよび／または制御情報を対応する端末に送信する。
【００７４】
さらに、上述のステップ４４０は、さらに、現在のＴＴＩ時間内のすべての周波数帯域のすべてのサブキャリア上のリソースエレメントが最初にｅＭＢＢサービスに割り当てられ、次にｕＭＴＣサービスに割り当てられているかを判定すること、並びに、現在のＴＴＩ時間内のすべての周波数帯域のすべてのサブキャリア上のリソースエレメントが最初にｅＭＢＢサービスに割り当てられ、次にｕＭＴＣサービスに割り当てられている場合、対応するｕＭＴＣ端末にデータおよび／または制御情報を送信すること、および、ｅＭＢＢ端末への情報の送信を停止すること、を含む。
【００７５】
ステップ４５０：ｕＭＴＣ端末およびｅＭＢＢ端末を含む端末デバイスは、基地局から、ダウンリンクデータおよび／または制御情報を受信し、ここで、制御情報は、端末に対し、アップリンクデータの送信を指示するエアインタフェースリソース割り当て状態を含み、端末デバイスは、当該制御情報内のエアインタフェースリソース割り当て状態に従い、対応するアップリンクデータを送信する。
【００７６】
結論として、本願の本実施形態において、レイテンシセンシティブサービスのためにエアインタフェースリソースを先取りする様式は、レイテンシセンシティブサービスの正確かつタイムリーな送信を保証すべく、レイテンシセンシティブサービスが十分なエアインタフェースリソースを取得することを可能にする。また、エアインタフェースリソースは非レイテンシセンシティブサービスに最初に割り当てられ、および、任意のエアインタフェースリソース、すなわち、現在のＴＴＩ時間内のすべての周波数帯域のすべてのサブキャリア上のエアインタフェースリソースが、非レイテンシセンシティブサービスに割り当てられてよく、これにより、エアインタフェースリソースの無駄を回避し、エアインタフェースリソースを節約する。
【００７７】
図８は、本願の一実施形態による、ネットワークデバイスの模式図である。ネットワークデバイスは、例えば、基地局ｅＮｏｄｅＢまたはＲＲＵである。
【００７８】
図８中、ネットワークデバイス８００は、プロセッサ８１０、送信機８２０および受信機８３０を含む。
【００７９】
プロセッサ８１０は、非レイテンシセンシティブサービスのスケジューリングを開始し、当該非レイテンシセンシティブサービスに、現在の送信時間間隔ＴＴＩ内のすべての周波数帯域のサブキャリア上のエアインタフェースリソースを割り当て、次に、レイテンシセンシティブサービスのスケジューリングを開始し、当該レイテンシセンシティブサービスに、ＴＴＩ内のすべての周波数帯域のサブキャリア上のエアインタフェースリソースを割り当て、レイテンシセンシティブサービスのために、当該非レイテンシセンシティブサービスに既に割り当てられているエアインタフェースリソースを先取りする、ように構成されている。ここで、当該レイテンシセンシティブサービスは、当該非レイテンシセンシティブサービスよりも、エアインタフェースリソースの取得に関し高い優先度を有する。
【００８０】
送信機８２０は、割り当てられたエアインタフェースリソースに基づき、データおよび／または制御情報を、レイテンシセンシティブサービスで構成さられた端末または非レイテンシセンシティブサービスで構成された端末に、送信するよう構成されている。
【００８１】
一例において、プロセッサ８１０によってレイテンシセンシティブサービスに割り当てられたエアインタフェースリソースは、非レイテンシセンシティブサービスに既に割り当てられているエアインタフェースリソースを含む。
【００８２】
一例において、プロセッサ８１０は、さらに、レイテンシセンシティブサービスのために、時間領域において、非レイテンシセンシティブサービスに既に割り当てられているエアインタフェースリソースを先取りするよう構成されている。
【００８３】
さらに、プロセッサ８１０は、レイテンシセンシティブサービスのために、ＴＴＩ全体内の一部の周波数帯域の複数のサブキャリアで構成される、および、非レイテンシセンシティブサービスに既に割り当てられているリソースエレメントを、先取りするようさらに構成されている。
【００８４】
さらに、プロセッサ８１０は、ＴＴＩが固定値の場合、レイテンシセンシティブサービスのために、時間領域において、非レイテンシセンシティブサービスに既にに割り当てられているエアインタフェースリソースを先取りするようさらに構成されている。
【００８５】
別の例において、プロセッサ８１０は、レイテンシセンシティブサービスのために、周波数領域において、非レイテンシセンシティブサービスに既に割り当てられているエアインタフェースリソースを先取りするようさらに構成されている。
【００８６】
さらに、プロセッサ８１０は、レイテンシセンシティブサービスのために、一部のＴＴＩに該当する複数の直交周波数分割多重ＯＦＤＭシンボルの時間内のすべての周波数帯域のサブキャリア上にある、および、非レイテンシセンシティブサービスに既に割り当てられているリソースエレメントを先取りするようさらに構成されている。
【００８７】
さらに、プロセッサ８１０は、ＴＴＩが非固定値の場合、レイテンシセンシティブサービスのために、周波数領域において、非レイテンシセンシティブサービスに既に割り当てられているエアインタフェースリソースを先取りするようさらに構成されている。
【００８８】
一例において、プロセッサ８１０は、レイテンシセンシティブサービスのために、ＴＴＩ内のすべての周波数帯域のサブキャリア上のエアインタフェースリソースを確保し、エアインタフェースリソースを非レイテンシセンシティブサービスに割り当てるとき、確保されたエアインタフェースリソースの一部または全部を、非レイテンシセンシティブサービスに割り当てるることを可能にし、エアインタフェースリソースをレイテンシセンシティブサービスに割り当てるとき、レイテンシセンシティブサービスのために、確保されたエアインタフェースリソース中で、非レイテンシセンシティブサービスに既に割り当てられているエアインタフェースリソースを先取りする、ようさらに構成されている。
【００８９】
一例において、プロセッサ８１０は、エアインタフェースリソースをレイテンシセンシティブサービスに割り当てるとき、エアインタフェースリソース中でアイドルのリソースエレメントを優先的に割り当て、アイドルのリソースエレメントの量がレイテンシセンシティブサービスが要求するリソースエレメントの量を満たすことができない場合、レイテンシセンシティブサービスのために、非レイテンシセンシティブサービスに既に割り当てられているリソースエレメントを先取りする、ようさらに構成されている。
【００９０】
一例において、プロセッサ８１０は、現在のＴＴＩ時間内のすべての周波数帯域のすべてのサブキャリア上のリソースエレメントが、最初に非レイテンシセンシティブサービスに割り当てられ、次にレイテンシセンシティブサービスに割り当てられているかを判定し、現在のＴＴＩ時間内のすべての周波数帯域のすべてのサブキャリア上のリソースエレメントが、最初に非レイテンシセンシティブサービスに割り当てられ、次にレイテンシセンシティブサービスに割り当てられている場合、通知を送信機８２０に送信するようさらに構成されている。送信機８２０は、当該通知に基づいて、データおよび／または制御情報を、レイテンシセンシティブサービスに送信し、非レイテンシセンシティブサービスへの情報の送信を停止するようさらに構成されている。
【００９１】
受信機８３０は、レイテンシセンシティブサービスで構成された端末または非レイテンシセンシティブサービスで構成された端末から、データを受信するよう構成されており、ここで、当該データはプロセッサ８１０によって割り当てられたエアインタフェースリソースに基づいて送信される。
【００９２】
図９は、本願の一実施形態による、エアインタフェースリソース割り当て装置の模式図である。エアインタフェースリソース割り当て装置９００は、構成モジュール９１０、スケジューリングモジュール９２０、送信モジュール９３０、および受信モジュール９４０を含む。スケジューリングモジュール９２０は、非レイテンシセンシティブサービススケジューリングモジュール９２１、レイテンシセンシティブサービススケジューリングモジュール９２２およびリソース選択モジュール９２３を含む。
【００９３】
構成モジュール９１０は、レイテンシセンシティブサービス、例えば、ｕＭＴＣサービスのために、ＴＴＩ全体内のすべての周波数帯域のサブキャリア上のエアインタフェースリソースを確保し、および、確保されたエアインタフェースリソースの一部または全部を、非レイテンシセンシティブサービス、例えば、ｅＭＢＢサービスに割り当てることを可能にする、よう構成され、ここで、レイテンシセンシティブサービス、例えばｕＭＴＣサービスは、非レイテンシセンシティブサービス、例えば、ｅＭＢＢサービスよりも、確保されたエアインタフェースリソースの取得に関し高い優先度を有する。
【００９４】
スケジューリングモジュール９２０は、各非レイテンシセンシティブサービスおよび各レイテンシセンシティブサービスのために、スケジューリングを開始し、および、エアインタフェースリソースを割り当てる、よう構成されている。
【００９５】
スケジューリングモジュール９２０内の非レイテンシセンシティブサービススケジューリングモジュール９２１は、非レイテンシセンシティブサービスのスケジューリングを開始し、並びに、現在の送信時間間隔ＴＴＩ内のすべての周波数帯域のすべてのサブキャリアにあり、および、非レイテンシセンシティブサービスが要求するエアインタフェースリソースを非レイテンシセンシティブサービスに割り当てる、よう構成されている。
【００９６】
スケジューリングモジュール９２０内のレイテンシセンシティブサービススケジューリングモジュール９２２は、レイテンシセンシティブサービスが要求するリソースエレメントをレイテンシセンシティブサービスに割り当て、および、レイテンシセンシティブサービスのために、非レイテンシセンシティブサービスに既に割り当てられているエアインタフェースリソースを先取りする、よう構成されており、ここで、レイテンシセンシティブサービスは、非レイテンシセンシティブサービスよりも、エアインタフェースリソースの取得に関し高い優先度を有する。換言すると、スケジューリングモジュール９２０によってレイテンシセンシティブサービスに割り当てられるエアインタフェースリソースは、非レイテンシセンシティブサービスに既に割り当てられているエアインタフェースリソースを含む。
【００９７】
また、スケジューリングモジュール９２０による非レイテンシセンシティブサービスのスケジューリングの時間は、レイテンシセンシティブサービスのスケジューリングの時間より前である。すなわち、スケジューリングモジュール９２０は、非レイテンシセンシティブサービスを最初にスケジューリングし、次に、レイテンシセンシティブサービスをスケジューリングする。
【００９８】
一例において、レイテンシセンシティブサービススケジューリングモジュール９２２は、時間領域において、非レイテンシセンシティブサービスに既に割り当てられているエアインタフェースリソースを先取りするようさらに構成されている。
【００９９】
さらに、レイテンシセンシティブサービススケジューリングモジュール９２２は、レイテンシセンシティブサービスのために、ＴＴＩ全体の時間内の一部の周波数帯域の複数のサブキャリアで構成される、および、非レイテンシセンシティブサービスに既に割り当てられているリソースエレメントを、先取りする。詳細については、図５および図６並びに関連する内容の説明を参照されたい。さらに、レイテンシセンシティブサービススケジューリングモジュール９２２が、現在の送信時間間隔ＴＴＩ内の一部の周波数帯域の複数のサブキャリアのリソースエレメントをレイテンシセンシティブサービスに割り当てることは、送信時間間隔ＴＴＩが固定値である事例に適用可能である。
【０１００】
別の例において、レイテンシセンシティブサービススケジューリングモジュール９２２は、レイテンシセンシティブサービスのために、周波数領域において、非レイテンシセンシティブサービスに既に割り当てられているエアインタフェースリソースを先取りするようさらに構成されている。
【０１０１】
さらに、レイテンシセンシティブサービススケジューリングモジュール９２２は、レイテンシセンシティブサービスのために、一部のＴＴＩに該当する複数の直交周波数分割多重ＯＦＤＭシンボルの時間内のすべての周波数帯域のサブキャリアで構成される、および、非レイテンシセンシティブサービスに既に割り当てられているリソースエレメントを先取りするようさらに構成されている。詳細については、図７および関連する内容の説明を参照されたい。
【０１０２】
さらに、レイテンシセンシティブサービススケジューリングモジュール９２２は、一部のＴＴＩ時間に該当する複数のＯＦＤＭシンボルの時間内のすべての周波数帯域の複数のサブキャリアのリソースエレメントをレイテンシセンシティブサービスに割り当てるようさらに構成されていることは、送信時間間隔ＴＴＩが非固定値である事例に適用可能である。
【０１０３】
一例において、レイテンシセンシティブサービススケジューリングモジュール９２２は、エアインタフェースリソースをレイテンシセンシティブサービスに割り当てるとき、アイドルのリソースエレメントを優先的に割り当てる、および、アイドルのリソースエレメントの量がレイテンシセンシティブサービスが要求するリソースエレメントの量を満たすことができない場合、レイテンシセンシティブサービスのために、非レイテンシセンシティブサービスに既に割り当てられているリソースエレメントを先取りする、ようさらに構成されている。
【０１０４】
リソース選択モジュール９２３は、現在のＴＴＩ時間内のすべての周波数帯域のすべてのサブキャリア上のリソースエレメントが最初に非レイテンシセンシティブサービスに割り当てられ、次に、レイテンシセンシティブサービスに割り当てられているかを判定し、および、現在のＴＴＩ時間内のすべての周波数帯域のすべてのサブキャリア上のリソースエレメントが最初に非レイテンシセンシティブサービスに割り当てられ、次にレイテンシセンシティブサービスに割り当てられている場合、通知を送信モジュール９３０に送信する、よう構成されている。
【０１０５】
送信モジュール９３０は、リソース選択モジュール９２３から受信されたメッセージが、現在のリソースエレメントが最初に非レイテンシセンシティブサービスに割り当てられ、次にレイテンシセンシティブサービスに割り当てられているという内容であるとき、レイテンシセンシティブサービスで構成された対応する端末にデータおよび／または制御情報を送信し、非レイテンシセンシティブサービスで構成された端末への情報の送信を停止する、よう構成されている。
【０１０６】
受信モジュール９４０は、レイテンシセンシティブサービスで構成された端末および非レイテンシセンシティブサービスで構成された端末から情報を受信するよう構成されている。情報は、スケジューリングモジュール９２０によって割り当てられたエアインタフェースリソースに基づいて、対応する端末によって送信される。
【０１０７】
上述の内容は、本願の実施形態のデータ送信方法について説明する。当業者は、当該方法の実施形態および各ステップのプロセスは、ハードウェアによって実装されてよいことを認識されたい。当業者は、上述の方法の実施形態に基づき、対応するモジュールおよび変形例を構築してよく、これらのモジュールおよび変形例は、本願の保護範囲に属するものとし、詳細についてはここに記載しない。
【０１０８】
さらに、当業者は、本明細書に開示した実施形態に関し、説明した実施例におけるユニットおよびアルゴリズムのステップは、電子的なハードウェア、コンピュータソフトウェアまたはこれらの組み合わせによって実装されてよいことを認識されたい。ハードウェアおよびソフトウェア間の置換可能性について明確に説明するために、概して上述の内容は、機能に従って各実施例の構成要素およびステップについて説明している。当該機能がハードウェアまたはソフトウェアによって実行されるかどうかは、特定の適用および当該技術的解決手段の設計上の制約条件に依存する。当業者は、異なる方法を用いて、それぞれ特定の適用のために説明した機能を実装できるが、当該実装が本願の範囲を超えるとみなされるべきではない。
【０１０９】
本明細書に開示した実施形態で説明した方法またはアルゴリズムのステップは、ハードウェア、プロセッサにより実行されるソフトウェアモジュール、またはこれらの組み合わせによって実装されてよい。ソフトウェアモジュールは、ランダムアクセスメモリ（ＲＡＭ）、メモリ、リードオンリメモリ（ＲＯＭ）、電気的プログラマブルＲＯＭ、電気的消去可能プログラマブルＲＯＭ、レジスタ、ハードディスク、リムーバブルディスク、ＣＤ‐ＲＯＭ、または当該技術分野で知られる任意の他の形態のストレージ媒体に存在してよい。
【０１１０】
上述した特定の実装において、本願の目的、技術的解決手段および利点は、さらに詳細に説明されている。上述の説明は、本願の特定の実装に過ぎず、本願の保護範囲を限定する意図ではないことを理解されたい。本願の原理から逸脱することなくなされた任意の変形例、均等な置き換え、または改善は、本願の保護範囲に属するものとする。
【国際調査報告】
2019522408.tif 000012
2019522408.tif 000013
2019522408.tif 000014
2019522408.tif 000015